(57)【要約】本発明は、システム（１０２、２０２、３０２、５０２）であって、少なくとも１つの第１のエネルギー量を生産するように構成された少なくとも１つの制御可能なプロデューサー（１０４、２０４、３０４．１、３０４．２、３０４．３、３０４．３’、５０４．１、５０４．２）と、少なくとも１つの第２のエネルギー量を生産するように構成された少なくとも１つの制御不可能なプロデューサー（１０６、２０６．１、２０６．２、３０６．１、３０６．２、３０６．２’、３０６．３、３０６．３’、３０６．３”、５０６．１、５０６．２）と、を備え、制御不可能なプロデューサー（１０６、２０６．１、２０６．２、３０６．１、３０６．２、３０６．２’、３０６．３、３０６．３’、３０６．３”、５０６．１、５０６．２）を制御可能なプロデューサー（１０４、２０４、３０４．１、３０４．２、３０４．３、３０４．３’、５０４．１、５０４．２）に割り当てて電気プロデューサー配置（１０１、２０１、３０１．１、３０１．２、３０１．３）を形成し、本システムがさらに、少なくとも１つの未来の期間中に制御不可能なプロデューサー（１０６、２０６．１、２０６．２、３０６．１、３０６．２、３０６．２’、３０６．３、３０６．３’、３０６．３”、５０６．１、５０６．２）によって生産される少なくとも１つの第２のエネルギー量を予測するように構成された少なくとも１つの第１の予測手段（１１０、２１０、４１０）と、未来の期間中に電気ネットワーク（１０８、２０８）に対して電気プロデューサー配置（１０１、２０１、３０１．１、３０１．２、３０１．３）によって供給される総エネルギー量が事前定義可能な総エネルギー量に対応するように、少なくとも１つの予測された第２のエネルギー量に基づいて、制御可能なプロデューサー（１０４、２０４、３０４．１、３０４．２、３０４．３、３０４．３’、５０４．１、５０４．２）を制御するように構成された少なくとも１つの制御手段（１１２、２１２、４１２）と、を備える、システム（１０２、２０２、３０２、５０２）に関する。【選択図】図１
2019531692.tif 000002
【特許請求の範囲】
【請求項１】
システム（１０２、２０２、３０２、５０２）であって、
−  少なくとも１つの第１のエネルギー量を生産するように構成された少なくとも１つの制御可能なプロデューサー（１０４、２０４、３０４．１、３０４．２、３０４．３、３０４．３’、５０４．１、５０４．２）と、
−  少なくとも１つの第２のエネルギー量を生産するように構成された少なくとも１つの制御不可能なプロデューサー（１０６、２０６．１、２０６．２、３０６．１、３０６．２、３０６．２’、３０６．３、３０６．３’、３０６．３”、５０６．１、５０６．２）と、
を備え、
−  前記制御不可能なプロデューサー（１０６、２０６．１、２０６．２、３０６．１、３０６．２、３０６．２’、３０６．３、３０６．３’、３０６．３”、５０６．１、５０６．２）を前記制御可能なプロデューサー（１０４、２０４、３０４．１、３０４．２、３０４．３、３０４．３’、５０４．１、５０４．２）に割り当てて電気プロデューサー配置（１０１、２０１、３０１．１、３０１．２、３０１．３）を形成し、
−  少なくとも１つの未来の期間中に前記制御不可能なプロデューサー（１０６、２０６．１、２０６．２、３０６．１、３０６．２、３０６．２’、３０６．３、３０６．３’、３０６．３”、５０６．１、５０６．２）によって生産される前記少なくとも１つの第２のエネルギー量を予測するように構成された少なくとも１つの第１の予測手段（１１０、２１０、４１０）と、
−  前記未来の期間中に電気ネットワーク（１０８、２０８）に対して前記電気プロデューサー配置（１０１、２０１、３０１．１、３０１．２、３０１．３）によって供給される総エネルギー量が事前定義可能な総エネルギー量に対応するように、前記少なくとも１つの予測された第２のエネルギー量に基づいて、前記制御可能なプロデューサー（１０４、２０４、３０４．１、３０４．２、３０４．３、３０４．３’、５０４．１、５０４．２）を制御するように構成された少なくとも１つの制御手段（１１２、２１２、４１２）と、
を備える、システム（１０２、２０２、３０２、５０２）。
【請求項２】
−  前記電気プロデューサー配置（１０１、２０１、３０１．１、３０１．２、３０１．３）が、前記未来の期間中に前記電気配置（１０１、２０１、３０１．１、３０１．２、３０１．３）の少なくとも１つのコンシューマー機器（２１６．１、２１６．２、３１６．２）によって消費される少なくとも１つの第３のエネルギー量を予測するように構成された少なくとも１つの第２の予測手段（２２８、４２８）を備え、
−  前記制御手段（１１２、２１２、４１２）は、前記未来の期間中に前記電気ネットワーク（１０８、２０８）に対して前記電気プロデューサー配置（１０１、２０１、３０１．１、３０１．２、３０１．３）によって供給される総エネルギー量が前記事前定義可能な総エネルギー量に対応するように、前記少なくとも１つの予測された第２のエネルギー量および前記少なくとも１つの予測された第３のエネルギー量に基づいて、前記制御可能なプロデューサー（１０４、２０４、３０４．１、３０４．２、３０４．３、３０４．３’、５０４．１、５０４．２）を制御するように構成されている、
ことを特徴とする、請求項１に記載のシステム（１０２、２０２、３０２、５０２）。
【請求項３】
前記少なくとも１つの制御不可能なプロデューサー（１０６、２０６．１、２０６．２、３０６．１、３０６．２、３０６．２’、３０６．３、３０６．３’、３０６．３”、５０６．１、５０６．２）の前記少なくとも１つの制御可能なプロデューサー（１０４、２０４、３０４．１、３０４．２、３０４．３、３０４．３’、５０４．１、５０４．２）への割り当てが、少なくとも、前記制御不可能なプロデューサー（１０６、２０６．１、２０６．２、３０６．１、３０６．２、３０６．２’、３０６．３、３０６．３’、３０６．３”、５０６．１、５０６．２）と前記制御可能なプロデューサー（１０４、２０４、３０４．１、３０４．２、３０４．３、３０４．３’、５０４．１、５０４．２）との間の距離に依存することを特徴とする、請求項１または２に記載のシステム（１０２、２０２、３０２、５０２）。
【請求項４】
−  前記制御不可能なプロデューサー（１０６、２０６．１、２０６．２、３０６．１、３０６．２、３０６．２’、３０６．３、３０６．３’、３０６．３”、５０６．１、５０６．２）と前記制御可能なプロデューサー（１０４、２０４、３０４．１、３０４．２、３０４．３、３０４．３’、５０４．１、５０４．２）との間の距離が少なくとも１つの事前定義された距離閾値未満である場合のみに、制御不可能なプロデューサー（１０６、２０６．１、２０６．２、３０６．１、３０６．２、３０６．２’、３０６．３、３０６．３’、３０６．３”、５０６．１、５０６．２）が、前記制御可能なプロデューサー（１０４、２０４、３０４．１、３０４．２、３０４．３、３０４．３’、５０４．１、５０４．２）に割り当て可能であり、
−  前記事前定義された距離閾値が、好ましくは、５０ｋｍ、特に好ましくは、１０ｋｍである、
ことを特徴とする、請求項３に記載のシステム（１０２、２０２、３０２、５０２）。
【請求項５】
−  前記システム（１０２、２０２、３０２、５０２）が、ピアツーピアネットワーク（２２２、３２２、５２２）のノード（２２６．１、２２６．２、３２６．１、３２６．２、３２６．３、５０４．１、５０４．２、５０６．１、５０６．２、５２６．１、５２６．２）の少なくとも一部によって実行可能な少なくとも１つのピアツーピアアプリケーション（２２４、３２４、４２４）を有する少なくとも１つのピアツーピアネットワーク（２２２、３２２、５２２）を備え、
−  前記ピアツーピアアプリケーション（２２４、３２４、４２４）が、
−  前記制御手段（１１２、２１２、４１２）、
−  前記第１の予測手段（１１０、２１０、４１０）、および
−  前記第２の予測手段（２２８、４２８）、
のうちの少なくとも１つを備える、
ことを特徴とする、請求項１〜４の何れか一項に記載のシステム（１０２、２０２、３０２、５０２）。
【請求項６】
−  前記電気プロデューサー配置（１０１、２０１、３０１．１、３０１．２、３０１．３）が、前記制御可能なプロデューサー（１０４、２０４、３０４．１、３０４．２、３０４．３、３０４．３’、５０４．１、５０４．２）に割り当てられた少なくとも１つの第１のピアツーピアモジュール（２１８）を備え、
−  前記制御手段（１１２、２１２、４１２）が、少なくとも１つの制御命令データセットを前記制御可能なプロデューサー（１０４、２０４、３０４．１、３０４．２、３０４．３、３０４．３’、５０４．１、５０４．２）に割り当てられた前記第１のピアツーピアモジュール（２１８）に提供することによって、前記制御可能なプロデューサー（１０４、２０４、３０４．１、３０４．２、３０４．３、３０４．３’、５０４．１、５０４．２）を制御するように構成されている、
ことを特徴とする、請求項５に記載のシステム（１０２、２０２、３０２、５０２）。
【請求項７】
−  前記電気プロデューサー配置（１０１、２０１、３０１．１、３０１．２、３０１．３）が、前記制御不可能なプロデューサー（１０６、２０６．１、２０６．２、３０６．１、３０６．２、３０６．２’、３０６．３、３０６．３’、３０６．３”、５０６．１、５０６．２）に割り当てられた少なくとも１つのさらなるピアツーピアモジュール（２２０．１、２２０．２）を備え、
−  前記さらなるピアツーピアモジュール（２２０．１、２２０．２）が、少なくとも１つのデータセットを前記ピアツーピアアプリケーション（２２４、３２４、４２４）に提供するように構成されており、
−  前記データセットが、
−  前記予測された第２のエネルギー量、
−  少なくとも１つの局所気象パラメータ、および
−  前記制御不可能なプロデューサー（１０６、２０６．１、２０６．２、３０６．１、３０６．２、３０６．２’、３０６．３、３０６．３’、３０６．３”、５０６．１、５０６．２）の性能に関する少なくとも１つの性能パラメータ、
のうちの少なくとも１つを含む、
ことを特徴とする、請求項５または６に記載のシステム（１０２、２０２、３０２、５０２）。
【請求項８】
−  前記電気プロデューサー配置（１０１、２０１、３０１．１、３０１．２、３０１．３）が、前記コンシューマー機器（２１６．１、２１６．２、３１６．２）に割り当てられた少なくとも１つのさらなるピアツーピアモジュール（２２０．１、２２０．１）を備え、
−  前記さらなるピアツーピアモジュール（２２０．１、２２０．１）が、少なくとも１つのデータセットを前記ピアツーピアアプリケーション（２２４、３２４、４２４）に提供するように構成されており、
−  前記データセットが、
−  前記予測された第３のエネルギー量、
−  実際の第３のエネルギー量、および
−  前記コンシューマー機器（２１６．１、２１６．２、３１６．２）の性能に関する少なくとも１つの性能パラメータ、
のうちの少なくとも１つを含む、
ことを特徴とする、請求項５〜７の何れか一項に記載のシステム（１０２、２０２、３０２、５０２）。
【請求項９】
前記ピアツーピアアプリケーション（２２４、３２４、４２４）が、前記制御不可能なプロデューサー（１０６、２０６．１、２０６．２、３０６．１、３０６．２、３０６．２’、３０６．３、３０６．３’、３０６．３”、５０６．１、５０６．２）の前記制御可能なプロデューサー（１０４、２０４、３０４．１、３０４．２、３０４．３、３０４．３’、５０４．１、５０４．２）への割り当てに関する割り当て取引契約を生成することによって電気プロデューサー配置（１０１、２０１、３０１．１、３０１．２、３０１．３）を形成するように構成されていることを特徴とする、請求項５〜８の何れか一項に記載のシステム（１０２、２０２、３０２、５０２）。
【請求項１０】
前記生成された割り当て取引契約が、
−  前記関与する制御不可能なプロデューサー（１０６、２０６．１、２０６．２、３０６．１、３０６．２、３０６．２’、３０６．３、３０６．３’、３０６．３”、５０６．１、５０６．２）および／または制御可能なプロデューサー（１０４、２０４、３０４．１、３０４．２、３０４．３、３０４．３’、５０４．１、５０４．２）の識別子、
−  前記制御不可能なプロデューサー（１０６、２０６．１、２０６．２、３０６．１、３０６．２、３０６．２’、３０６．３、３０６．３’、３０６．３”、５０６．１、５０６．２）の性能に関する少なくとも１つの性能パラメータ、
−  前記制御可能なプロデューサー（１０４、２０４、３０４．１、３０４．２、３０４．３、３０４．３’、５０４．１、５０４．２）の性能に関する少なくとも１つの性能パラメータ、および
−  少なくとも１つの割り当て取引基準、
のうちの少なくとも１つを含む、ことを特徴とする、請求項９に記載のシステム（１０２、２０２、３０２、５０２）。
【請求項１１】
−  前記ピアツーピアアプリケーション（２２４、３２４、４２４）が、前記制御不可能なプロデューサー（１０６、２０６．１、２０６．２、３０６．１、３０６．２、３０６．２’、３０６．３、３０６．３’、３０６．３”、５０６．１、５０６．２）、前記制御可能なプロデューサー（１０４、２０４、３０４．１、３０４．２、３０４．３、３０４．３’、５０４．１、５０４．２）、および前記コンシューマー機器（２１６．１、２１６．２、３１６．３）を備える前記グループの少なくとも１つの要素に割り当てられたピアツーピアモジュール（２１８、２２０．１、２２０．２）の登録メッセージを受信するように構成された少なくとも１つの登録手段（４４８）を備え、エンティティ（２１４．１、２１４．２、３１４．２）が、前記制御不可能なプロデューサー（１０６、２０６．１、２０６．２、３０６．１、３０６．２、３０６．２’、３０６．３、３０６．３’、３０６．３”、５０６．１、５０６．２）および／または前記コンシューマー機器（２１６．１、２１６．２、３１６．３）を備え、
−  前記登録手段（４４８）が、前記ピアツーピアアプリケーション（２２４、３２４、４２４）および／または前記ピアツーピアアプリケーション（２２４、３２４、４２４）によって制御される記憶配置（３３２）に前記要素の一意の識別子を記憶することによって前記要素を登録するように構成されている、
ことを特徴とする、請求項５〜１０の何れか一項に記載のシステム（１０２、２０２、３０２、５０２）。
【請求項１２】
−  前記少なくとも１つのピアツーピアアプリケーション（２２４、３２４、４２４）が、分散型レジスタまたは共有型データベースであり、
−  前記ピアツーピアアプリケーション（２２４、３２４、４２４）が、与えられたある特定の証明または署名とともにデータを記憶するように構成されている、
ことを特徴とする、請求項１〜１１の何れか一項に記載のシステム（１０２、２０２、３０２、５０２）。
【請求項１３】
前記少なくとも１つのピアツーピアアプリケーション（２２４、３２４、４２４）が、互いに連結された少なくとも２つのブロック（４５１、４５３、４５５）を備えるブロックチェーンまたは分散型台帳であることを特徴とする、請求項１〜１２の何れか一項に記載のシステム（１０２、２０２、３０２、５０２）。
【請求項１４】
システム（１０２、２０２、３０２、５０２）、特に、請求項１〜１３の何れか一項に記載のシステム（１０２、２０２、３０２、５０２）を動作させるための方法であって、前記システム（１０２、２０２、３０２、５０２）が、少なくとも１つの制御可能なプロデューサー（１０４、２０４、３０４．１、３０４．２、３０４．３、３０４．３’、５０４．１、５０４．２）に割り当てられた少なくとも１つの制御不可能なプロデューサー（１０６、２０６．１、２０６．２、３０６．１、３０６．２、３０６．２’、３０６．３、３０６．３’、３０６．３”、５０６．１、５０６．２）を含む少なくとも１つの前記電気プロデューサー配置（１０１、２０１、３０１．１、３０１．２、３０１．３）を備え、
−  未来の期間中に前記制御不可能なプロデューサー（１０６、２０６．１、２０６．２、３０６．１、３０６．２、３０６．２’、３０６．３、３０６．３’、３０６．３”、５０６．１、５０６．２）によって生産される少なくとも１つの第２のエネルギー量を予測することと、
−  前記未来の期間中に電気ネットワーク（１０８、２０８）に対して前記電気プロデューサー配置（１０１、２０１、３０１．１、３０１．２、３０１．３）によって供給される総エネルギー量が事前定義可能な総エネルギー量に対応するように、前記少なくとも１つの予測された第２のエネルギー量に基づいて、前記少なくとも１つの制御可能なプロデューサー（１０４、２０４、３０４．１、３０４．２、３０４．３、３０４．３’、５０４．１、５０４．２）を制御することと、
を含む、方法。
【請求項１５】
電気プロデューサー配置（１０１、２０１、３０１．１、３０１．２、３０１．３）であって、
−  少なくとも１つの制御可能なプロデューサー（１０４、２０４、３０４．１、３０４．２、３０４．３、３０４．３’、５０４．１、５０４．２）に割り当てられた少なくとも１つの制御不可能なプロデューサー（１０６、２０６．１、２０６．２、３０６．１、３０６．２、３０６．２’、３０６．３、３０６．３’、３０６．３”、５０６．１、５０６．２）と、
−  少なくとも１つのピアツーピアネットワーク（２２２、３２２、５２２）の少なくとも１つのピアツーピアアプリケーション（２２４、３２４、４２４）と通信するように構成された少なくとも１つの第１のピアツーピアモジュール（２１８）と、
を備え、
−  前記第１のピアツーピアモジュール（２１８）が、前記制御可能なプロデューサー（１０４、２０４、３０４．１、３０４．２、３０４．３、３０４．３’、５０４．１、５０４．２）に割り当てられ、未来の期間中に前記制御不可能なプロデューサー（１０６、２０６．１、２０６．２、３０６．１、３０６．２、３０６．２’、３０６．３、３０６．３’、３０６．３”、５０６．１、５０６．２）によって生産される少なくとも１つの予測された第２のエネルギー量に基づいて、少なくとも１つの制御命令データセットを受信するように構成されており、
−  前記制御可能なプロデューサー（１０４、２０４、３０４．１、３０４．２、３０４．３、３０４．３’、５０４．１、５０４．２）は、前記未来の期間中に電気ネットワーク（１０８、２０８）に対して前記電気プロデューサー配置（１０１、２０１、３０１．１、３０１．２、３０１．３）によって供給される総エネルギー量が事前定義可能な総エネルギー量に対応するように、前記受信された１つの制御命令データセットに基づいて制御可能である、
電気プロデューサー配置（１０１、２０１、３０１．１、３０１．２、３０１．３）。
【請求項１６】
ピアツーピアネットワーク（２２２、３２２、５２２）のピアツーピアアプリケーション（２２４、３２４、４２４）であって、
−  未来の期間中に前記電気ネットワーク（１０８、２０８）に対して電気プロデューサー配置（１０１、２０１、３０１．１、３０１．２、３０１．３）によって供給される総エネルギー量が事前定義可能な総エネルギー量に対応するように、前記未来の期間中に制御不可能なプロデューサーによって生産される少なくとも１つの予測された第２のエネルギー量に基づいて、前記少なくとも１つの制御不可能なプロデューサーに割り当てられた少なくとも１つの制御可能なプロデューサー（１０４、２０４、３０４．１、３０４．２、３０４．３、３０４．３’、５０４．１、５０４．２）を制御するように構成された少なくとも１つの制御手段（１１２、２１２、４１２）を備え、前記電気プロデューサー配置（１０１、２０１、３０１．１、３０１．２、３０１．３）が、前記少なくとも１つの制御可能なプロデューサー（１０４、２０４、３０４．１、３０４．２、３０４．３、３０４．３’、５０４．１、５０４．２）に割り当てられた前記少なくとも１つの制御不可能なプロデューサー（１０６、２０６．１、２０６．２、３０６．１、３０６．２、３０６．２’、３０６．３、３０６．３’、３０６．３”、５０６．１、５０６．２）を備える、
ピアツーピアアプリケーション（２２４、３２４、４２４）。
【発明の詳細な説明】
【技術分野】
【０００１】
本発明は、少なくとも１つの第１のエネルギー量を生産するように構成された少なくとも１つの制御可能なプロデューサーと、少なくとも１つの第２のエネルギー量を生産するように構成された少なくとも１つの制御不可能なプロデューサーとを備える、システムに関する。本発明はまた、システム、電気プロデューサー配置、およびピアツーピアアプリケーションを動作させるための方法に関する。
【背景技術】
【０００２】
電気システムは、（公共の）送配電網、複数の電気プロデューサー、ならびに複数の電気コンシューマーおよびコンシューマー機器をそれぞれ備える。異なるプロデューサーを技術的に２つのカテゴリ、制御可能なプロデューサーと制御不可能なプロデューサーとに分割することができる。制御可能なプロデューサーとしては、特に、石炭火力発電所、原子力発電所、またはガス発電所などの発電所が挙げられる。「制御可能な」とは、電力およびエネルギー量をそれぞれ生産するために使用されるソース媒体（例えば、石炭、ガスなど）の流入を制御することによって、電力の生産を制御することができることを意味する。
【０００３】
制御不可能なプロデューサーの例としては、風力発電所および光発電デバイスが挙げられる。そのため、本出願では、「制御不可能な」とは、電力の生産を制御することができないことを意味する。これは、電力の生産が制御不可能なパラメータ、特に、気象パラメータに依存することを意味する。換言すれば、ソース媒体（例えば、太陽、風）、特に、電力およびエネルギー量をそれぞれ生産するために使用されるソース媒体の流入は、制御可能ではない。生産された電力の供給は、制御可能であり得る。例えば、制御不可能なプロデューサーは、電気ネットワークへの電力の供給を制御するように構成された遠隔制御ボックスを装備することができる。それにもかかわらず、プロデューサーは目下のところ、電力およびエネルギー量を生産するために使用されるソース媒体の制御不可能な流入ゆえ、制御不可能なプロデューサーとして見なされている。
【０００４】
さらに、電気ネットワークを動作させる際の不変の関心事は、電力の供給と需要との均衡を保つことである。電気ネットワークを安定した方式で動作させるために、電気ネットワークへの電気エネルギーの供給は常に、電気ネットワークからの電気エネルギーの出力に対応しなければならない。厳密に言えば、グリッド周波数は常に、事前定義された上限内および下限内でなければならない。
【０００５】
しかしながら、制御不可能なプロデューサーの数の増加は、安定した方式で電気ネットワークを動作させることをますます困難にする。例えば、光発電デバイス、例えば、建物などのエンティティの屋根の上に配置された光発電デバイスは、電力が制御されない方式で電気ネットワークに送り込まれるという欠点を含む。生産された電力は、光発電デバイスの位置の現在の気象パラメータに依存する。簡単な用語では、太陽が現在出ている場合、電力が生産されて電気ネットワークに送り込まれる。（例えば、雲のために）太陽が現在出ていない場合、電力の生産が低減され、ひいては、電気ネットワークに送り込まれる電力が低減される。
【発明の概要】
【発明が解決しようとする課題】
【０００６】
従来技術によれば、ネットワークを安定した方式で動作させるために、グリッドパラメータ、特に、グリッド周波数を監視することができることが知られている。現在のグリッド周波数、および例えば、天候予測に基づいて、１つ以上の制御可能なプロデューサーは、ネットワーク内の変動が補償され得るように制御される。それにもかかわらず、重大なネットワーク状態が依然として何度も発生する。そのため、この課題は、制御不可能なプロデューサーの着実な増加ゆえ、増加するであろう。
【課題を解決するための手段】
【０００７】
したがって、本出願の目的は、重大なネットワーク状態を簡単な方式で少なくとも低減させることができるシステムを提供することである。
【０００８】
上記目的は、請求項１に記載のシステムによって本発明の第１の態様に従って解決される。本システムは、少なくとも１つの第１のエネルギー量を生産するように構成された少なくとも１つの制御可能なプロデューサーを備える。本システムは、少なくとも１つの第２のエネルギー量を生産するように構成された少なくとも１つの制御不可能なプロデューサーを備える。制御不可能なプロデューサーを制御可能なプロデューサーに割り当てて電気プロデューサー配置を形成する。本システムは、少なくとも１つの未来の期間中に制御不可能なプロデューサーによって生産される少なくとも１つの第２のエネルギー量を予測するように構成された少なくとも１つの第１の予測手段を備える。本システムは、未来の期間中に電気ネットワークに対して電気プロデューサー配置によって供給される総エネルギー量が事前定義可能な総エネルギー量に対応するように、少なくとも１つの予測された第２のエネルギー量に基づいて、制御可能なプロデューサーを制御するように構成された少なくとも１つの制御手段を備える。
【０００９】
従来技術とは対照的に、電気プロデューサー配置を形成するために、制御可能なプロデューサーと制御不可能なプロデューサーとが（固定的に）一緒にグループ化される。かかる電気プロデューサー配置は、仮想バッテリの技術的効果を有する。制御可能なプロデューサーは、制御不可能なプロデューサーによって生産されたエネルギー量を間接的に（または事実上）貯蔵し得る。電気プロデューサー配置によるネットワークへの電力の総供給を高精度で制御することができる。重大なネットワーク状態の数を少なくとも低減させることができる。
【００１０】
本システムを、複数の送電線を備える（公共の）電気ネットワークまたはグリッドに接続することができる。特に、コンシューマー機器、電気プロデューサーなどを電気ネットワークに接続することができる。
【００１１】
本システムは、１つ以上の制御可能なプロデューサーを備える。各制御可能なプロデューサーは、制御命令データセットなどの制御パラメータデータセットに従って、第１のエネルギー量を生産することが可能であり得る。
【００１２】
さらに、本システムは、１つ以上の制御不可能なプロデューサーを備える。これらのプロデューサーの各々は、第２のエネルギー量を生産するために使用されるソース媒体（例えば、太陽、風など）の利用可能性に従って、第２のエネルギー量を生産することが可能であり得る。
【００１３】
少なくとも１つの制御不可能なプロデューサーが、少なくとも１つの制御可能なプロデューサーに割り当てられる。特に、１つ以上の制御不可能なプロデューサーが、特に、仮想バッテリの効果を有する電気プロデューサー配置を形成するために、１つ以上の制御可能なプロデューサーに固定的に割り当てられる。割り当てるとは、特に、少なくとも１つの制御不可能なプロデューサーが少なくとも１つの制御可能なプロデューサーと（事実上）グループ化されるかまたは組み合わせられることを意味する。
【００１４】
さらに、本システムは、少なくとも１つの第１の予測手段を備える。第１の予測手段は、少なくとも１つの制御不可能なプロデューサーによって生産される少なくとも１つの第２のエネルギー量を予測するように構成され得る。少なくとも１つの制御可能なプロデューサーに割り当てられた２つ以上の制御不可能なプロデューサーが存在する場合、少なくとも１つの第１の予測手段を、例えば、それぞれの制御不可能なプロデューサーによって生産される２つ以上の予測された個々の第２のエネルギー量に基づいて、総計の第２のエネルギー量を予測するように少なくとも構成することができる。複数の第１の予測手段が提供され得ることも可能である。
【００１５】
例えば、第１の予測手段は、例えば、過去のエネルギー量の生産データ、気象予測データ、および／または制御不可能なプロデューサーの性能に関する性能パラメータデータに基づいて、１つ以上の（特定の）未来の期間（例えば、次の週、次の日、次のｘ時間、次のｘ分間など）にわたる少なくとも１つの第２のエネルギー量を予測し得る。
【００１６】
予測された第２のエネルギー量を制御手段に提供することができる。少なくとも１つの制御手段は、第１の予測手段に対するインターフェースを有し得、ならびに／または第１の予測手段および制御手段は、単一のモジュールによって形成され得る。
【００１７】
少なくとも１つの制御手段は、制御可能なプロデューサーを制御するように構成され得る。特に、制御可能なプロデューサーによって生産された第１のエネルギー量は、制御手段を通じて制御され得る。そのために、制御手段は、少なくとも、予測された第２のエネルギー量を考慮に入れる。より具体的には、重大なネットワーク状態を回避するかまたは少なくとも低減させるために、電気プロデューサー配置の制御不可能なプロデューサーおよび制御可能なプロデューサーから供給される所望の総エネルギー量を（例えば、ネットワークオペレータによって）与えることができる。制御手段は、１つ以上の制御不可能なプロデューサーの予測された（総計の）第２のエネルギー量および前記未来の期間中に供給される与えられた総エネルギー量に少なくとも基づいて、少なくとも１つの制御可能なプロデューサーによって生産されるエネルギー量を制御し得る。特に、制御手段は、与えられた総エネルギー量と予測された第２のエネルギー量との間の差分を判定、例えば、算出し得る。次いで、制御手段は、前記未来の期間中に電気ネットワークに対して供給される総エネルギー量が事前定義可能な総エネルギー量に対応することを達成するために、少なくとも１つの制御可能なプロデューサーが、算出された差分を生産（および供給）するようにそれを制御し得る。
【００１８】
予測手段および／または制御手段は、ソフトウェアおよび／またはハードウェアモジュールであり得る。エネルギー量および電力をそれぞれ生産することは、第１の種類のエネルギーを電気エネルギーに変換することを意味することを理解されたい。すべてのエネルギー量（Ｅ）は時間に依存し得る（Ｅ＝ｆ（ｔ））ことをさらに理解されたい。
【００１９】
好ましい実施形態によれば、１つ以上の制御可能なプロデューサーは、ガス（例えば、天然ガス、バイオガスなど）を使用するプロデューサーであり得、１つ以上の制御不可能なプロデューサーは、例えば、建物などのエンティティによって提供される光発電デバイスであり得る。特に、複数の光発電デバイスを、ガスを使用する１つのプロデューサーに割り当てることができる。結果として生じる電気プロデューサー配置の効果を光発電貯蔵配置として説明することができる。
【００２０】
好ましい実施形態によれば、電気プロデューサー配置をセットアップするために、少なくとも１つの制御不可能なプロデューサーと少なくとも１つのコンシューマー機器とを備える少なくとも１つのプロシューマー（プロデューサーおよびコンシューマー）エンティティを制御可能なプロデューサーに割り当てることができる。
【００２１】
本出願によるシステムのさらなる実施形態によれば、電気プロデューサー配置は、電気配置の少なくとも１つのコンシューマー機器によって消費される少なくとも１つの第３のエネルギー量を予測するように構成された少なくとも１つの第２の予測手段を備え得る。制御手段は、未来の期間中に電気ネットワークに対して電気プロデューサー配置によって供給される総エネルギー量が事前定義可能な総エネルギー量に対応するように、少なくとも１つの予測された第２のエネルギー量および少なくとも１つの予測された第３のエネルギー量に基づいて、制御可能なプロデューサーを制御するように構成され得る。コンシューマー機器は、１つ以上の電気負荷を備える。電気負荷の非網羅的な例は、冷蔵庫、ストーブ、照明器具、コンピュータ、ディスプレイ、テレビ受像機、洗浄デバイス、電気加熱デバイスなどである。例えば、第１の制御不可能なプロデューサーと第１のコンシューマー機器とを同じエンティティ（例えば、建物および／または地所）に／内に配置することができる。かかる事例では、通常、第１の制御不可能なプロデューサーによって生産された第２のエネルギー量は、主として、エンティティのコンシューマー機器に供給するために使用される。これにより、ネットワークに実際に供給可能な第２のエネルギー量が実際に生産された第２のエネルギー量よりも少ない場合があることが結果として生じる。本出願によれば、少なくとも１つの第３のエネルギー量の形態の自己消費を制御手段によって考慮に入れることができる。第２の予測手段が別個のモジュールであり得るか、または第１の予測手段および第２の予測手段が組み合わされたモジュールによって形成され得る。例えば、（組み合わされた）予測手段およびモジュールはそれぞれ、第２のエネルギー量および第３のエネルギー量に基づいて、未来の期間中にエンティティによって供給されるエネルギー量を予測し得る。
【００２２】
電気プロデューサー配置が、互いに地理的に近接して配置されたプロデューサー（のみ）を備える場合、特に有利である。地理的な近位さゆえ、局所不均衡が低減され得るため、重大なネットワーク状態の数をさらに低減させることができる。特に、本出願のさらなる実施形態によれば、少なくとも１つの制御不可能なプロデューサーの少なくとも１つの制御可能なプロデューサーへの割り当ては、少なくとも、制御不可能なプロデューサーと制御可能なプロデューサーとの間の距離に依存し得る。さらなる基準は、制御不可能なプロデューサーおよび／または制御可能なプロデューサー、既に割り当てられた制御不可能なプロデューサーおよび／または制御可能なプロデューサー、ならびに同様のものの性能パラメータであり得る。本出願によるシステムの特定の好ましい実施形態によれば、制御不可能なプロデューサーと制御可能なプロデューサーとの間の距離が少なくとも１つの事前定義された距離閾値未満である場合のみに、制御不可能なプロデューサーは、制御可能なプロデューサーに割り当て可能であり得る。事前定義された距離閾値は、好ましくは、５０ｋｍ、特に好ましくは、１０ｋｍであり得る。換言すれば、少なくとも１つの制御不可能なプロデューサーの制御可能なプロデューサーまでの距離が事前定義未満である場合、電気プロデューサー配置を形成するために、制御不可能なプロデューサーを制御可能なプロデューサーに割り当てることができる。距離がより大きい場合、制御不可能なプロデューサーは、前記制御可能なプロデューサーに割り当てられないことがある。
【００２３】
好ましくは、本システムは、２つ以上の電気プロデューサー配置を備え得る。電気プロデューサー配置の各々は、１つ以上の制御不可能なプロデューサーと少なくとも１つの制御可能なプロデューサーとを備えることができ、制御不可能なプロデューサーの各々は、事前定義された距離閾値未満の、それぞれの少なくとも１つの制御可能なプロデューサーまでの距離を有し得る。２つ以上の局所的にグループ化された電気プロデューサー配置を設けることによって、電気ネットワークの局所的な安定性、ひいては、電気ネットワークの全体的な安定性を簡単な方式でさらに改善することができる。
【００２４】
概して、制御手段または予測手段は、従来の技法および／またはデバイスによって形成され得る。例えば、前記手段、ならびに制御不可能なプロデューサーおよび／または制御可能なプロデューサーとの通信を実現するために、クライアントサーバ構造を設けることができる。例えば、１つ以上のサーバは、１つ以上の電気プロデューサー配置を制御および管理し得る。サーバは、制御手段および／または少なくとも１つの予測手段を提供し得る。さらに、サーバを使用して電気プロデューサー配置を管理することができ、割り当て処理を制御することによって電気プロデューサー配置を形成することを含む。
【００２５】
しかしながら、かかるシステムの欠点は、サーバ−クライアント構造である。特に、高い取引費用の他に、サーバ（またはプラットフォーム）を使用することの問題点は、中央インスタンスまたは中央サーバが、例えば、制御不可能なユーザのプロバイダの生産および性能データ、収支報告データなどを含む機密データを管理しなければならないことである。中央インスタンスに影響する永続的な課題は、１つ以上のサーバに記憶された機密データを、認可されていない第三者によるアクセスから保護することである。特に、前記データが改ざんされることを防止するために、高度なセキュリティ支出が必要とされる。これは次に、さらにより高い取引費用につながる。さらなる不都合は、記載されるサーバ−クライアント構造を提供し、電気プロデューサー配置を管理および形成するための複雑で高価なインフラである。
【００２６】
本出願によるシステムの特定の好ましい実施形態によれば、電気プロデューサー配置は、ピアツーピアネットワークのノードの少なくとも一部によって実行可能な少なくとも１つのピアツーピアアプリケーションを有する少なくとも１つのピアツーピアネットワークを備え得る。ピアツーピアアプリケーションは、
−  制御手段、
−  第１の予測手段、および
−  第２の予測手段、
のうちの少なくとも１つを備え得る。
【００２７】
少なくとも制御処理は、制御手段がピアツーピアネットワークのノードの少なくとも一部（例えば、２つ以上）によって実行される点で、前記制御処理を監視および制御することによって、より効率的かつより安全な方法で実施され得る。換言すれば、制御処理および／または予測処理および／または形成（割り当て）処理を、中央インスタンスなしで、しかし、ピアツーピアネットワークのピアツーピアアプリケーションによって管理および制御することができる。中央サーバまたはプラットフォームの代わりに、ピアツーピアネットワーク（フレームワークとも称される）が、特に、これらの処理のうちの１つ以上を、ピアツーピアアプリケーションによって改ざん防止の制御を請け負うという事実により、ピアツーピアネットワーク内のすべてのコンピュータ（ピアノードまたは単にノード）、ピアツーピアネットワーク内のノードの少なくとも一部が少なくとも前記処理を、特に、上記手段のうちの１つ以上を実行することによって監視することで高いセキュリティ標準が達成される。それによって、取引費用を著しく低減することができる。中央の優れたプラットフォーム、サーバ、クラウドなどを必要としない。管理および制御処理の複雑さを著しく低減することができる。ユーザデータおよび他の機密データを安全に管理することができる。
【００２８】
サーバがサービス（制御処理）を提供し、クライアントがサービスを使用するクライアントサーバシステムと比較すると、これらの役割は、本ピアツーピアネットワーク内で無効にされる。ピアツーピアネットワークの各参加者（例えば、ノード）は、サービスおよび同様のものを使用し、かかるサービスを提案することができる。特に、ピアツーピアネットワークは、（任意の高位ユニットなしで）自己判定および／または自己組織化される。本事例では、好ましくは、ピアツーピアネットワークの各ノードおよびコンピュータはそれぞれ、（同じ）ピアツーピアアプリケーションを備える。
【００２９】
制御手段、第１の予測手段、および／または第２の予測手段などの手段は、いわゆる、「スマートコントラクト」の少なくとも一部であり得る。スマートコントラクトは、ピアツーピアネットワークのノードの少なくとも一部（＞２）によって実行され得るコードを含む。ノードの一部（および１つのノードだけではない）が制御手段、第１の予測手段、および／または第２の予測手段の少なくとも一部を実行するか、またはそれぞれの手段の正しい実行を少なくとも監視するので、高いレベルのセキュリティを提供することができる。
【００３０】
本出願のさらなる好ましい実施形態によれば、電気プロデューサー配置は、制御可能なプロデューサーに割り当てられた少なくとも１つの第１のピアツーピアモジュールを備え得る。（ピアツーピアアプリケーションの）制御手段は、少なくとも１つの制御命令データセットを、制御可能なプロデューサーに割り当てられた第１のピアツーピアモジュールに提供することによって、制御可能なプロデューサーを制御するように構成され得る。
【００３１】
特に、ピアツーピアアプリケーションと通信するために、少なくとも１つの第１のピアツーピアモジュールを設けることができる。第１のピアツーピアモジュールを制御可能なプロデューサーに一意に割り当てることができる。例えば、各制御可能なプロデューサーは、第１のピアツーピアモジュールを備え得る。好ましくは、ピアツーピアモジュールは、制御可能なプロデューサーに組み込まれ得る。
【００３２】
制御不可能なプロデューサーと前記制御可能なプロデューサーに割り当てられた（遠隔配置された）第１のピアツーピアモジュールとの間に通信接続を設けることも可能である。これは、ピアツーピアモジュールが制御可能なプロデューサーに代わって少なくとも通信および／または活動し得ることを意味する。例えば、ピアツーピアモジュールは、モバイル通信デバイス（例えば、モバイル電話、モバイルコンピュータなど）のような別個の処理デバイスによって部分的に形成され得るか、または（例えば、データセンタ内の）遠隔設置型処理デバイスで作動し得る。モバイル通信デバイスまたは遠隔処理デバイスの場合、少なくとも１つの制御可能なプロデューサーは、データセンタの処理デバイス（またはモバイル通信デバイス）への安全な通信チャネルを有し得、処理デバイス自体は、第１のピアツーピアネットワークへの接続を有し得る。一実施形態では、遠隔処理デバイスは、ピアツーピアネットワークへの「ゲートウェイ」であり得る。これは、制御可能なプロデューサーがその第１のピアツーピアモジュールおよびゲートウェイを介してピアツーピアネットワークと安全に通信し得ることを意味する。
【００３３】
第１のピアツーピアモジュールは、ピアツーピアアプリケーションと通信する、例えば、ピアツーピアアプリケーションに／からメッセージを送信／受信するように構成され得る。第１のピアツーピアモジュールは、ピアツーピアネットワークのそれぞれピアおよびノードであり得る。第１のピアツーピアモジュールは、ピアツーピアアプリケーションから少なくとも１つの制御命令データセットを受信するように構成され得る。例えば、第１のピアツーピアモジュールは、１つ以上のメッセージを受信し得、かつ／または（例えば、第１のピアツーピアモジュールのそれぞれの識別子ゆえに）前記第１のピアツーピアモジュール用に意図されたデータを読み出すことが可能であり得る。例えば、制御可能なプロデューサーの電力出力を設定値に制御／限定するように構成された１つ以上の設定電力値を含む制御命令データセットは、（上に説明されるように）予測された第２のエネルギー量および／または第３のエネルギー量、供給される事前定義可能な総エネルギー量などに基づいて、制御手段によって生成され得る。
【００３４】
第１のピアツーピアモジュールは、制御可能なプロデューサーの制御モジュールへのデータ接続を備え得る。（例えば、プロセッサを備える）制御モジュールは、受信された制御命令データセットを解析することが可能であり得、第１の電気エネルギー量が受信された制御命令データセットに従って生産（およびネットワークに供給）されるように、制御可能なプロデューサーを制御するように構成され得る。
【００３５】
加えて、第１のピアツーピアモジュールは、例えば、さらなる処理のために、（現在の）状態データ（例えば、現在生産されている電力、エラー状態、保守状態など）のようなデータをピアツーピアアプリケーションに提供し得る。
【００３６】
本出願によるシステムのさらなる実施形態によれば、電気プロデューサー配置は、制御不可能なプロデューサーに割り当てられた少なくとも１つのさらなるピアツーピアモジュールを備え得る。さらなるピアツーピアモジュールは、少なくとも１つのデータセットをピアツーピアアプリケーションに提供するように構成され得る。データセットは、
−  予測された第２のエネルギー量、
−  少なくとも１つの局所気象パラメータ、および
−  制御不可能なプロデューサーの性能に関する少なくとも１つの性能パラメータ、
のうちの少なくとも１つを含み得る。
【００３７】
さらなるピアツーピアモジュールは、同様に、第１のピアツーピアモジュールとして形成され得る。したがって、繰り返しを回避するために、上記説明が参照される。さらなるピアツーピアモジュールは、制御不可能なプロデューサーに組み込まれ得るか、または制御不可能なプロデューサーとの安全な通信チャネルを有する別個のデバイスであり得る。例えば、さらなるピアツーピアモジュールは、制御不可能なプロデューサーの処理モジュール（プロセッサを含む）とのデータインターフェースを有し得る。
【００３８】
一実施形態では、第１の予測手段を制御不可能なプロデューサーにまたはその中に配置することができる。例えば、制御不可能なプロデューサーを備えるエンティティのコンピューティングデバイスは、第１の予測手段を有し得る。換言すれば、制御不可能なプロデューサー（またはそのエンティティ）は、前記制御不可能なプロデューサーによって生産される前記第２のエネルギー量を予測することが可能であり得る。代替的にまたは追加的に、制御不可能なプロデューサーの設置位置に関する少なくとも１つの局所気象パラメータを有するデータセットを、さらなるピアツーピアモジュールによってピアツーピアアプリケーションに提供することができる。例えば、制御不可能なプロデューサーは、気象パラメータ、例えば、温度、大気中の水分含有量、設定期間にわたる液体降水量、風速、大気圧、および／または同様のものを測定するように構成された１つ以上の気象測定ユニットを備え得る。１つ以上の局所気象パラメータは、第２のエネルギー量を、特に、高精度で予測するために第１の予測手段によって使用され得る。
【００３９】
さらに、制御不可能なプロデューサーの性能に関する１つ以上の性能パラメータを、さらなるピアツーピアモジュールからピアツーピアアプリケーションに提供することができる。性能パラメータの非網羅的な例は、最大電力出力、保守時間、動作エラー、光発電素子のセットアップ角度、コンパス方向、すなわち、光発電素子の向き、環境パラメータ、例えば、遮光障害物（例えば、建物、木、山など）、制御不可能なプロデューサーの変更、および／または同様のものである。性能データは、過去のおよび実際の生産データを含み得る。好ましくは、制御不可能なプロデューサーの１つ以上の性能パラメータ、天候予測データ、および／または局所気象パラメータに基づいて、例えば、ピアツーピアアプリケーションの第１の予測手段は、制御不可能なプロデューサーによって生産される第２のエネルギー量を予測し得る。
【００４０】
好ましくは、１つ以上のデータフィードをピアツーピアアプリケーション（いわゆる、「スマートオラクル」）によって提供することができる。データフィードは、さらなるデータ、好ましくは、少なくとも１つのさらなるソース（例えば、気象サービスプロバイダエンティティ）からの天候予測データを提供し得る。
【００４１】
さらに、本出願によるシステムの一実施形態によれば、電気プロデューサー配置は、コンシューマー機器に割り当てられた少なくとも１つのさらなるピアツーピアモジュールを備え得る。さらなるピアツーピアモジュールは、少なくとも１つのデータセットをピアツーピアアプリケーションに提供するように構成され得る。データセットは、
−  予測された第３のエネルギー量、
−  実際の第３のエネルギー量、および
−  コンシューマー機器の性能に関する少なくとも１つの性能パラメータ、
のうちの少なくとも１つを含み得る。
【００４２】
一実施形態では、第２の予測手段を制御不可能なプロデューサーにまたはその中に配置することができる。例えば、コンシューマー機器（および例えば、制御不可能なプロデューサー）を備えるエンティティのコンピューティングデバイスは、第２の予測手段（および第１の予測手段）を有し得る。換言すれば、コンシューマー機器（またはそのエンティティ）は、前記コンシューマー機器によって消費される前記第３のエネルギー量を予測することが可能であり得る。加えてまたは代替的に、実際の第３のエネルギー量、特に、過去におよび実際に測定された第３のエネルギー量をピアツーピアアプリケーションに提供することができる。代替的にまたは追加的に、コンシューマー機器の性能に関する少なくとも１つの性能パラメータを、さらなるピアツーピアモジュールからピアツーピアアプリケーションに伝達することができる。コンシューマー機器の性能に関する性能パラメータの非網羅的な例は、最大消費可能電力、環境パラメータ（例えば、温度）、電気負荷の動作エラー、コンシューマー機器の変更（例えば、負荷の交換または同様のもの）、および／または同様のものである。
【００４３】
好ましくは、コンシューマー機器に関する１つ以上の性能パラメータ、コンシューマー機器の天候予測データおよび／または実際の第３のエネルギー量に基づいて、例えば、ピアツーピアアプリケーションの第２の予測手段は、コンシューマー機器によって消費される第３のエネルギー量を予測し得る。代替的にまたは追加的に、例えば、標準エンティティ、例えば、標準世帯に関する過去および統計的な経験を、かかるエンティティのエネルギー消費を予測するために使用することができることを理解されたい。
【００４４】
コンシューマー機器と制御不可能なプロデューサーとが同じエンティティ（例えば、建物および／または世帯）にまたはその中に配置された場合、コンシューマー機器および制御不可能なプロデューサーは、同じさらなるピアツーピアモジュールを使用し得る。換言すれば、さらなるピアツーピアモジュールを、コンシューマー機器および制御不可能なプロデューサー、ならびにそれぞれのエンティティにそれぞれ割り当てることができる。例えば、さらなるピアツーピアモジュールは、エンティティ（例えば、スマートホーム制御装置または同様のもの）のコンピューティングデバイスに組み込まれ得る。
【００４５】
ピアツーピアアプリケーションは、好ましくは、１つ以上の電気プロデューサー配置をそれぞれ形成およびセットアップするように構成され得る。電気プロデューサー配置のセットアップは、本出願のシステムの特定の好ましい実施形態によれば、ピアツーピアアプリケーションが制御不可能なプロデューサーの制御可能なプロデューサーへの割り当てに少なくとも関する割り当て取引契約を生成することによって電気プロデューサー配置を形成するように構成され得ることを含み得る。制御不可能なプロデューサーを制御可能なプロデューサーと（固定的に）組み合わせるかまたはグループ化するために、ピアツーピアアプリケーションは、スマートコントラクトの形態で割り当て取引契約を生成するように構成され得る。例えば、制御手段は、生成された割り当て取引契約の一部分であり得る。
【００４６】
ピアツーピアアプリケーションは、生成された割り当て取引契約を記憶するように構成され得る。割り当て取引契約の生成は、例えば、割り当て取引契約の生成に関する少なくとも１つの命令を含む要求メッセージを伝達することによって、制御可能なプロデューサーの第１のピアツーピアモジュールなどの少なくとも１つのピアツーピアモジュール、または制御不可能なプロデューサーおよび／もしくはコンシューマー機器のさらなるピアツーピアモジュールによって引き起こされるかまたは開始され得る。要求メッセージは、少なくとも一時的に電気プロデューサー配置をセットアップするために、第１のピアツーピアモジュールによって送信され得る。
【００４７】
特に、好適なコード、および必要な場合は、メッセージの送信者（例えば、送信用ピアツーピアモジュールおよび／もしくは割り当てられたエンティティ）ならびに／またはメッセージの信頼性を検証するための少なくとも１つの鍵（例えば、署名）を、それぞれのピアツーピアモジュールによって、ピアツーピアアプリケーションに伝達するか、またはピアツーピアアプリケーションに書き込むことができる。割り当て取引契約は、少なくとも１つの制御可能なプロデューサーと１つ以上の制御不可能なプロデューサーとの間で生成され得る。好ましくは、好適な命令を含む（他の）ピアツーピアモジュールからの確認メッセージ、および必要な場合は、確認メッセージの送信者を検証するための少なくとも１つの鍵（例えば、署名）に続いて、対応する割り当て取引契約を有利に、ピアツーピアアプリケーションのピアツーピアネットワークによるチェックに続いて生成することができる。簡単な用語で表現すると、各制御不可能なプロデューサーおよび／または制御可能なプロデューサーは、ピアツーピアネットワークまたはピアツーピアアプリケーションによって１つまたは複数の好適な相手を検索し得、割り当て取引契約は、ピアツーピアアプリケーションによって生成され得る。
【００４８】
好ましくは、割り当て取引契約は、グループ化されたプロデューサー、および制御手段が制御アルゴリズムに従って電気プロデューサー配置からネットワークへのエネルギー供給を制御することを可能にするための制御アルゴリズムの詳細を含み得る。特に、制御アルゴリズムは、制御手段を少なくとも部分的に形成し得る。好ましい実施形態によれば、生成された割り当て取引契約は、
−  関与する制御不可能なプロデューサーおよび／または制御可能なプロデューサーの識別子、
−  制御不可能なプロデューサーの性能に関する少なくとも１つの性能パラメータ、
−  制御可能なプロデューサーの性能に関する少なくとも１つの性能パラメータ、
−  制御アルゴリズムおよび／または予測アルゴリズムおよび／または割り当てアルゴリズム、ならびに
−  少なくとも１つの割り当て取引基準、
のうちの少なくとも１つを含み得る。
【００４９】
識別子は、それぞれの要素を一意に識別し得る。電気プロデューサー配置のすべての要素は、割り当て取引契約に記憶された一意の識別子を含み得る。これらの識別子および例えば、対応する通信アドレスに基づいて、データをピアツーピアアプリケーションとそれぞれの要素との間で交換することができる。さらに、先に記載される性能パラメータのうちの１つ以上を割り当て取引契約に記憶することができる。例えば、上に記載されるように、制御手段は、前記情報、および例えば、記憶された制御アルゴリズムを使用して制御可能なプロデューサーを制御することができ、かつ／または上に記載されるように、少なくとも１つの予測手段は、予測処理において、前記情報、および例えば、記憶された予測アルゴリズムを使用することができる。最終的に、割り当て取引基準を割り当て取引契約に定義することが可能であり得る。例えば、１つ以上の割り当て処理、１つ以上の制御処理、１つ以上の予測処理、または同様のものに対して支払われる暗号通貨の量。割り当て取引基準はまた、上に記載されるような、事前定義可能な距離閾値であり得る。
【００５０】
割り当て取引契約の生成は、制御手段および／または予測手段の生成を含み得る。
【００５１】
かかる割り当て取引契約が生成されると、電気プロデューサー配置を前記割り当て取引契約に従って制御および管理することができる。
【００５２】
さらなる好ましい実施形態では、年次記憶を割り当て取引契約に含めることができる。この年次記憶には、制御不可能なプロデューサーによって生産される予測された第２のエネルギー量（または例えば、生産コンシューマーエンティティの第２のエネルギー量と第３のエネルギー量との予測された合計）と、制御不可能なプロデューサーによって生産された実際に測定された第２のエネルギー量（または例えば、生産コンシューマーエンティティの第２のエネルギー量と第３のエネルギー量との実際に測定された合計）との間の（電力）変動（差分値）を記憶することができる。事前定義された期間の終わり（例えば、１年後、１か月後など）に、年次記憶の現在の差分値に基づいて、差分値の均衡を、例えば、それぞれの暗号通貨の取引によって（例えば、さらなる定義された割り当て取引基準に基づいて）、および／または制御可能なプロデューサーによって、例えば、生産コンシューマーにより多くの電力を提供することによって保つことができる。
【００５３】
さらに、第１の電気プロデューサー配置が事前定義された総エネルギー量を生産することができない場合（例えば、仮想バッテリのエネルギーが低すぎる場合）、第１の電気プロデューサー配置によって生産可能な最大総エネルギー量と事前定義された総エネルギー量との間で判定された差分の生産を、少なくとも１つのさらなる電気プロデューサー配置を通じて開始するために、電気プロデューサー配置は、第三者（好ましくは、さらなる電気プロデューサー配置）に接触し得ることに留意されたい。
【００５４】
電気プロデューサー配置の拡張を含む電気プロデューサー配置をセットアップするために、各プロデューサーおよびコンシューマー機器ならびに／またはエンティティがピアツーピアアプリケーションで以前に登録されているか、または外部登録で登録されたピアとしてピアツーピアアプリケーションにおいて既知であることが好ましい。本出願によるシステムのさらなる実施形態によれば、ピアツーピアアプリケーションは、制御不可能なプロデューサー、制御可能なプロデューサー、およびコンシューマー機器を備えるグループの少なくとも１つの要素に割り当てられたピアツーピアモジュールの登録メッセージを受信するように構成された少なくとも１つの登録手段を備え得る。登録手段は、ピアツーピアアプリケーションおよび／またはピアツーピアアプリケーションによって制御される記憶配置に要素（すなわち、制御不可能なプロデューサー、制御可能なプロデューサー、および／またはコンシューマー機器）の一意の識別子を記憶することによって、要素（すなわち、制御不可能なプロデューサー、制御可能なプロデューサー、および／またはコンシューマー機器）を登録するように構成され得る。
【００５５】
ピアツーピアアプリケーションの登録手段は、制御可能なプロデューサー、制御不可能なプロデューサー、および／またはコンシューマー機器に割り当てられたピアツーピアモジュールの登録メッセージを受信するように構成され得る。登録手段は、制御可能なプロデューサー、制御不可能なプロデューサー、および／またはコンシューマー機器を、一意の（ピアツーピア）識別子を記憶することによって登録するように構成され得る。識別子は、ピアツーピアアプリケーションの識別子一覧に記載され得る。好ましくは、識別子一覧は、ピアツーピアアプリケーションおよび／またはピアツーピアアプリケーションによって制御される記憶配置に記憶され得る。識別子一覧を認可処理のために、例えば、割り当て取引契約または同様のものの生成を可能にする前に、使用することができる。例えば、メッセージの送信者を承認するために、各メッセージは送信者の署名を備えることができる。識別子一覧を使用することによって、署名をピアツーピアアプリケーションによりチェックすることができる。例えば、メッセージの署名が識別子一覧に記憶された識別子／署名に対応する場合のみに、メッセージを承認することができる。代替的に、識別または「登録済みとして既知」を、肯定的な識別の場合、チェックフラグまたは同様のものを設定し得る信頼された登録エンティティによって実施することができる。
【００５６】
より具体的には、ユーザ、デバイス、ユニット、プロデューサー、コンシューマー機器、または同様のものを含むエンティティを、例えば、いわゆる、スマートアセットとして、ピアツーピアアプリケーションに登録することができる。各登録されたエンティティを、例えば、認可されたエンティティの１つ以上の識別子一覧に、該エンティティの一意の（ピアツーピア）識別子とともに記憶することができる。エンティティの識別子は既に、ピアツーピア識別子またはエンティティを一意に識別するのに好適な別の識別子であるかもしれない。一意のピアツーピア識別子は、シリアル番号、または例えば、エンティティ、エンティティのユーザの名前、エンティティの通信アドレス、署名などのスマートアセットのハッシュであり得る。例えば、エンティティの識別子がまだ一意のピアツーピア識別子ではない場合、例えば、識別子がユーザの非一意の名前である場合、ピアツーピアアプリケーション、特に、登録手段は、（事前設定された規則に従って）それぞれのエンティティのための一意のピアツーピア識別子を生成するように構成され得る。
【００５７】
エンティティは、信頼されたプラットフォームモジュールであり得る。
【００５８】
エンティティはピアツーピアアプリケーションに登録されたユーザであり得ることを理解されたい。各登録されたユーザを、例えば、認可されたエンティティの１つ以上の識別子一覧に、該ユーザの一意の（ピアツーピア）識別子とともに記憶するかまたはそれにリンクさせることができる。本出願によるシステムの一実施形態によれば、ユーザは、システムのピアツーピアモジュールのうちの１つで自身を認可し得る。
【００５９】
エンティティ（例えば、プロデューサー、コンシューマー機器、または建物の形態のエンティティなど）の登録の前に、ピアツーピアネットワークのノード（ピア）の少なくとも一部は、特に、登録手段を実行することによって、ピアツーピアネットワークによって事前定義された（具体的なエンティティ仕様または有効な署名もしくは準拠要件などの）登録要件が登録を要求するエンティティ／デバイスによって満たされているか否かをチェックし得る。例えば、制御可能なプロデューサー、制御不可能なプロデューサー、コンシューマー機器、および／またはエンティティが事前定義された技術的仕様を満たすことが必要である場合がある。チェックを遂行するために、好ましくは、さらなるデータを登録メッセージに含めることができる。特に、ピアツーピアネットワークのピアは、信頼できるエンティティとして見なされるエンティティによって満たされなければならない登録規則または登録要件を提供し得る。規則／要件をピアツーピアネットワークのピアによって個々に定義することができる。例えば、新しいエンティティが、既にピアツーピアネットワークの参加者であるエンティティによって推奨されなければならないことが必要な場合がある。加えて、この参加者が、事前定義された最小評価係数を増加させる評価係数を有しなければならないことが必要な場合がある。例えば、プロデューサーが、例えば、検出された不払いの（いくつかの）請求書ゆえに低い評価係数を有する場合、プロデューサーおよびプロデューサーのプロバイダをそれぞれ、登録手段によって登録することができない。さらなるデータは、プロデューサーもしくはコンシューマー機器の性能および／またはプロデューサーもしくはコンシューマー機器の位置（例えば、ＧＰＳ座標）に関する技術的データであり得る。要求エンティティがピアツーピアネットワークの技術的要件および／または位置要件を満たす（および／または信頼された外部登録エンティティがチェックフラグを設定している）場合のみ、要求エンティティをピアツーピアアプリケーションに登録することができる。
【００６０】
さらなる好ましい実施形態によれば、少なくとも１つのピアツーピアアプリケーションは、データ、例えば、割り当て取引契約、識別子、制御命令データセットなどを、与えられたある特定の証明または署名とともに記憶するように構成された分散型レジスタまたは共有型データベースであり得る。例えば、識別子に加えて、分散型レジスタは、例えば、制御手段、第１の予測手段、第２の予測手段、または登録手段として活動するコンピュータコードを記憶し得る。特に、コードは、いわゆる、「スマートコントラクト」のコードのアドレスに対する取引によって呼び出され得る。このコードをピアツーピアネットワークの複数のノードで処理することができる。
【００６１】
さらなる実施形態では、ピアツーピアアプリケーションによって制御される外部コンピューティングデバイスのコンピュータコードは、分散型認知解析または機械学習のためのアルゴリズムを含み得る。解析および学習は、他のデバイスと共有され得、ピアツーピアアプリケーションを介して共有、集約、およびさらに解析され得る。
【００６２】
分散型レジスタは、少なくともピアツーピアネットワークの参加者の一部によって読み取り可能であり得る。特に、あらゆるコンピュータノードおよび（それぞれのピアツーピアモジュールによって）登録された各エンティティは、ピアツーピアアプリケーションを備え得る。分散型レジスタ、少なくとも公共の部分（すなわち、プライベートコントラクトなしであり得る）は、少なくともピアツーピアネットワークの各参加者によって読み取られ得る。特に、ピアツーピアネットワークのすべてのピアツーピアモジュールおよびすべての他のコンピュータは、好ましくは、レジスタとして形成されたピアツーピアアプリケーションのすべての情報を読み取り得る。ピアツーピアネットワークのすべてのピアツーピアモジュールおよび他のすべてのコンピュータが、ピアツーピアアプリケーションにメッセージを送信し、またはピアツーピアアプリケーションにメッセージを書き込むことができることも好ましい。スマートコントラクトに送信されたメッセージまたは取引は、スマートコントラクトに記憶されたデータを使用しながら、スマートコントラクトのコード（例えば、登録手段、制御手段、予測手段など）の実行を開始し得る。例えば、上に記載されるように、予測された第２のエネルギー量および／または第３のエネルギー量を制御手段に送信すると、例えば、制御命令データセットを生成および伝達することをもたらすコードの実行を開始することができる。
【００６３】
ピアツーピアアプリケーションは、以下の要素、コンセンサスシステムおよび／またはプロトコルを備えるピアツーピアネットワーク、データ構造、マークルツリー、公開鍵署名、ビザンチンフォールトトレラント性の上になり立ち得る。コンセンサス原則に基づいてデータを複製し得る。監査可能かつ追跡可能であり得る。
【００６４】
簡単な方法で、情報を、好ましくは、すべての参加者に対して利用可能にすることができる。これは、分散型レジスタに記憶された情報または分散型レジスタで実行されたコードの査読を行うことを可能にし得る。特に好ましくは、ピアツーピアネットワーク内の各コンピュータ（ノード）は、新しい情報を、特に、ピアツーピアアプリケーションに記憶されたより古い情報に基づいて、査読するように構成され得る。加えて、少なくとも１つの制御手段は、ピアツーピアネットワークのノードの少なくとも一部、好ましくは、すべてのノードによって監視され得る。したがって、制御手段の改ざんを防止、少なくとも検出することができる。
【００６５】
さらに、少なくとも複数のノード、好ましくは、各ノードは、何れの場合も、完全なデータ内容を含むが、ピアツーピアアプリケーション、特に、分散型レジスタのデータ内容の少なくとも一部を含む。ただし、例えば、書き込まれた情報の肯定的な検証、または例えば、ピアツーピアアプリケーションにおける肯定的な登録の後に、この情報がすべてのノード、少なくともコンピュータの一部によって保存されることを条件とすることがある。例えば、割り当て取引契約の生成後および／または好結果の登録後に、契約および（新しい）識別子をそれぞれ、少なくともピアツーピアネットワークのノードの一部、好ましくは、すべてによって記憶することができる。それによって、ピアツーピアアプリケーションに記憶されたデータの耐改ざん性をさらに改善することができる。各活動を安全に制御することができる。
【００６６】
新しい情報を改ざん防止の方法で記憶するために、ピアツーピアアプリケーションは、暗号化手段および／または署名手段および／または検証手段を備えることができ、暗号化手段および／または署名手段および／または検証手段のうちの少なくとも１つは、割り当て取引契約、識別子、制御命令データセット、予測されたエネルギー量などのようなデータを記憶するように構成されている。ただし、特に、ハッシュ関数によって、分散型レジスタに少なくとも１つの以前に記憶された情報とのリンクが確立されていることを条件とすることがある。プロバイダエンティティなどのエンティティの要求メッセージ、通常のデータ、コンテキストデータ、および／または取引データなどのさらなるデータを記憶することができる。
【００６７】
ピアツーピアアプリケーションは、有向非巡回グラフ（ＤＡＧ）によって形成され得る。ＩＯＴＡまたはタングルなどの有向非巡回グラフは、ブロック（またはグラフのノード）が互いに有向エッジを介して連結されていることを意味する。それによって、向きとは、（すべての）エッジが（常に）時間と同様に同じ方向を有することを意味する。換言すれば、後退することは可能ではない。最終的に、非巡回とは、ループが存在しないことを意味する。
【００６８】
本システムの特に好ましい実施形態では、ピアツーピアアプリケーションは、互いに連結された少なくとも２つのブロックを備えるブロックチェーンまたは分散型台帳（例えば、スマートコントラクトを備えるイーサリアムブロックチェーン）であり得る。ブロックチェーン技術または「分散型台帳技術」は既に、ビットコインなどの暗号通貨による支払いで使用されている。ブロックチェーンの特定の構成によって、電気ネットワークの安定性を安全な方法で改善するための仮想バッテリを形成するために、制御可能なプロデューサーと制御不可能なプロデューサーとを一緒にネットワーク化することができることが認識されている。例えば、制御手段をブロックチェーン内のスマートコントラクトとして容易に実装することができる。２つ以上の異なる電気プロデューサー配置を備えるシステムを容易な方式で管理および制御することができる。
【００６９】
加えて、ブロックチェーンを使用して、改ざん防止の方式で少なくとも１つのピアツーピアモジュールおよび／または制御手段によって引き起こされる事前定義された活動を生成することができる。本実施形態によるブロックチェーンは、特に、分散型ピアツーピアベースのレジスタであり、その中で少なくとも１つの制御処理に関するすべてのデータをログ付けすることができる。ブロックチェーンは、特に、中央エンティティ／サーバを簡単かつ安全な方式で置換するための技術的手段として好適である。
【００７０】
ピアツーピアアプリケーションのさらなる実施形態では、ブロックチェーンは、非許可型ブロックチェーンまたは許可型ブロックチェーンであり得る。具体的な事例では、ブロックチェーンは、パブリックブロックチェーン、コンソーシアムブロックチェーン、またはプライベートブロックチェーンであり得る。
【００７１】
さらなる実施形態では、ピアツーピアアプリケーションを、サイドチェーンまたはスマートコントラクトなどの機構を介して接続された複数のブロックチェーンによって形成することができる。ピアツーピアノードは、１つ以上の異なるブロックチェーンクライアントを作動し得る。
【００７２】
ピアツーピアアプリケーションのデータを、「分散型台帳技術」および／またはインターネットを介してアクセス可能な分散型台帳ステア（decentral ledger steer）（暗号化された）データ記憶配置で記憶することができ、ならびに好ましくは、インタープラネタリーファイルシステム（ＩＰＦＳ）もしくはストージなど、分散型データ記憶配置、オブジェクト記憶、およびデータベースにそれぞれ、または分散型ブロックチェーンデータベース（例えば、ＢｉｇＣｈａｉｎＤＢ）に記憶することができる。第三者エンティティに対する暗号化されたデータへのアクセスは、ブロックチェーン上の１つ以上のスマートコントラクトとして形成された許可手段を介して管理される。
【００７３】
加えて、データフィードは、ピアツーピアアプリケーション（いわゆる、「スマートオラクル」）によって提供され得る。データフィードは、少なくとも１つのさらなるソースからの予測活動に関するさらなるデータを提供し得る。例えば、さらなる天候予測データおよび／またはグリッド状態データは、気象プロバイダおよび／またはさらなるグリッド状態プロバイダによって提供され得る。データは、チェーン外の信頼されたソースから捕捉され、ブロックチェーンに記憶されるか、またはブロックチェーンを介して分散型データ記憶エンティティに記憶され得る。
【００７４】
ピアノード間の情報をピアツーピアメッセージングシステムによって交換することができる。これは、ピアノードが別のピアノードにメッセージを送信して情報を提出するか、または動作を起動し得ることを意味する。メッセージは、平文であっても、署名されていても、ハッシュ化されていても、タイムスタンプ付けされていても、かつ／または暗号化されていてもよい。これは、ピアノード間で交換されるすべてのデータがブロックチェーンに記憶されなければならないわけではないことを意味する。
【００７５】
さらなる実施形態では、少なくとも１つのピアツーピアネットワークを、複数のコンピュータノード、および制御可能なプロデューサーの第１のピアツーピアモジュール、制御不可能なプロデューサーのさらなるピアツーピアモジュールなどのようなピアツーピアモジュールによって形成することができる。ピアツーピアモジュールは、複数のコンピュータノードと通信するようにのみ構成され得る。換言すれば、ピアツーピアモジュールは、ピアツーピアネットワークのコンピュータノードではなく、単に参加者である。かかるピアツーピアモジュールは、ピアツーピアアプリケーションを備えず、単に、アプリケーションプログラミングインターフェース（ＡＰＩ）などのインターフェースモジュール、およびピアツーピアネットワークのコンピュータノードまたはブロックチェーンもしくはブロックチェーンのスマートコントラクトなどのピアツーピアアプリケーションとの通信用の分散型アプリケーションを提供する。例えば、かかるピアツーピアモジュールは、ピアツーピアネットワークと通信するために、平文または暗号化された情報を送信するか、またはピアツーピアゲートウェイ（またはいわゆる、「遠隔ノード」）への安全な接続（例えば、トンネル）を生成するかの何れかを行うことができる。これは、ピアツーピアモジュールの必要とされる処理能力を低減することを可能にする。
【００７６】
ピアツーピアネットワークの一実施形態では、承認ピアまたはフルノードが１つだけ存在し得、例えば、１つのノードだけを、承認処理、例えば、予測または制御活動を実施すること、および１つ以上の観察（または監視）ノードを遂行するように構成することができる。観察ノードは、取引を承認して信頼レベルを確立することができるが、承認ピアによって行われるすべての取引を承認するわけではない。
【００７７】
さらなる実施形態では、ピアツーピアモジュールは、ノードのうちの１つである。この場合、ピアツーピアモジュールは、ピアツーピアアプリケーションの少なくとも一部を備える。特に、ピアツーピアモジュールは、好ましくは、ピアツーピアアプリケーションの全データ内容を含み得るか、または別のノードに記憶された情報にアクセスし得る。例えば、ピアツーピアモジュールは、いわゆる、「ライトノード」であり得るか、または遠隔ノードに接続された分散型アプリケーション（ＤＡＰＰ）であり得る。
【００７８】
本事例では、一実施形態によれば、ピアツーピアモジュールは、ブロックチェーンなどのピアツーピアアプリケーションと通信するように構成された少なくともＡＰＩを備えることに留意されたい。ＡＰＩに加えて、ピアツーピアモジュールは、ＡＰＩを介して、予測データなどのようなデータを作成および伝達するように少なくとも構成された局所アルゴリズムを含むソフトウェアの分散型アプリケーションを備える。分散型アプリケーション、いわゆる、「Ｄａｐｐ」は、前記データを処理および伝達するように少なくとも構成されている。
【００７９】
好ましくは、データは、署名もしくは暗号化されているか、または暗号理論的に安全なトンネルもしくは安全なインターネット接続を介して、ブロックチェーンなどのピアツーピアアプリケーションを作動中のピアツーピアノードに伝達され得る。別の特定の実施形態では、ピアツーピアアプリケーション自体もピアツーピアモジュール内に実装されている。すなわち、ピアツーピアモジュールは、分散型アプリケーション、ＡＰＩ、およびブロックチェーンまたは分散型台帳などのピアツーピアアプリケーションを備えるピアツーピアネットワークのノードである。
【００８０】
ブロックチェーンに記憶されたデータおよび取引は、「取引のプライバシー」を提供しない。偽名間の取引は、（多くの場合）ブロックチェーンに平文で記憶され得る。場合によっては、ブロックチェーンに記憶されたデータが暗号化され、鍵がブロックチェーンを介して取り扱われることがある。偽名間の取引は、ブロックチェーンに平文で記憶される。プライバシー保護、安全な取引、またはコンピュータコードの実行を、ゼロ知識（ｚｋ）証明またはｚｋ簡潔な非対話型引数（例えば、ｚｋ−ＳＮＡＲＫ）などの暗号理論的ツールを用いて達成することができる。取引またはアルゴリズムは、２つの部分、ブロックチェーンのスマートコントラクトとプライベートコントラクトとに分離される。プライバシー保護プロトコルはデータのプライバシーを確保し、コード実行の正当性（例えば、ＳＮＡＲＫ検証）はチェーンのスマートコントラクトを介して行われ得る。プライベートコントラクトの計算は、一連のノード、チェーン外のコンピュータによって行われ得るか、または測定された起動環境、もしくはデバイスで作動中の他のソフトウェアコードでは改ざんすることができない認証およびシーリング用の安全なハードウェアエンクレーブで行われ得る。代替の実施形態では、安全なマルチパーティコンピューティング（ｓＭＰＣ）システムを取引のプライバシーのために使用することができる。プライバシー保護プロトコルおよび計算の例は、ＨＡＷＫおよびＭＩＴ  Ｅｎｉｇｍａである。
【００８１】
ゼロ知識証明（ｚｋ証明）を用いると、当事者は、アルゴリズムがプライベートコントラクトで正しく実行されたことを見ることができるが、入力データは当事者には開示されない。加えて、選択的なプライバシーを、報告および監査の目的のために取引の暗号化解除するための鍵を共有することによって達成することができる。
【００８２】
コードおよび／またはデータをデバイスに安全に展開するために、Ｉｎｔｅｌ  ＳＧＸもしくはＴＰＭまたは直接匿名認証モジュールなどの信頼された実行環境をピアツーピアモジュールとともに組み込むことができる。
【００８３】
同様に、さらなる実施形態では、特に大きなピアツーピアネットワークを２つ以上の（物理的または論理的または動的に仮想の）クラスタに分割することができる。対応するピアツーピアネットワークでは、例えば、（取引のサブセットの）承認を、１つのクラスタのメンバー（ノードのサブセット、例えば、拡張性を改善するためのブロックチェーンのシャーディング）によってのみ行うことができる。さらなる実施形態では、ピアツーピアアプリケーションを複数のブロックチェーンを使用して形成することができる。これらのブロックチェーンは、サイドチェーンまたはスマートコントラクトなどのフレームワークを介して接続されている。
【００８４】
本発明のさらなる態様は、システム、特に、先に記載されるシステムを動作させるための方法である。本システムは、少なくとも１つの制御可能なプロデューサーに割り当てられた少なくとも１つの制御不可能なプロデューサーを含む少なくとも１つの電気プロデューサー配置を備える。本方法は、
−  未来の期間中に制御不可能なプロデューサーによって生産される少なくとも１つの第２のエネルギー量を予測することと、
−  未来の期間中に電気ネットワークに対して電気プロデューサー配置によって供給される総エネルギー量が事前定義可能な総エネルギー量に対応するように、少なくとも１つの予測された第２のエネルギー量に基づいて、少なくとも１つの制御可能なプロデューサーを制御することと、
を含む。
【００８５】
別の態様は、電気プロデューサー配置である。電気プロデューサー配置は、少なくとも１つの制御可能なプロデューサーに割り当てられた少なくとも１つの制御不可能なプロデューサーと、少なくとも１つのピアツーピアネットワークの少なくとも１つのピアツーピアアプリケーションと通信するように構成された少なくとも１つの第１のピアツーピアモジュールとを備え、第１のピアツーピアモジュールは、制御可能なプロデューサーに割り当てられ、未来の期間中に制御不可能なプロデューサーによって生産される少なくとも１つの予測された第２のエネルギー量に基づいて、少なくとも１つの設定された電力データセットを受信するように構成されており、制御可能なプロデューサーは、未来の期間中に電気ネットワークに対して電気プロデューサー配置によって供給される総エネルギー量が事前定義可能な総エネルギー量に対応するように、受信された１つの設定された電力データセットに基づいて制御可能である。
【００８６】
本出願のなおさらなる態様は、ピアツーピアネットワークのピアツーピアアプリケーションである。ピアツーピアアプリケーションは、未来の期間中に電気ネットワークに対して電気プロデューサー配置によって供給される総エネルギー量が事前定義可能な総エネルギー量に対応するように、未来の期間中に制御不可能なプロデューサーによって生産される少なくとも１つの予測された第２のエネルギー量に基づいて、少なくとも１つの制御不可能なプロデューサーに割り当てられた少なくとも１つの制御可能なプロデューサーを制御するように構成された少なくとも１つの制御手段を備え、電気プロデューサー配置は、少なくとも１つの制御可能なプロデューサーに割り当てられた少なくとも１つの制御不可能なプロデューサーを備える。
【００８７】
ピアツーピアアプリケーションを上に記載されるシステムで使用することができる。ピアツーピアアプリケーションを使用して１つ以上の電気プロデューサー配置を管理およびセットアップすることができる。
【００８８】
本方法、システム、モジュール、ピアツーピアアプリケーション、電気プロデューサー配置、およびコンピュータプログラムの特徴を互いに自由に組み合わせることができる。特に、説明および／または従属請求項の特徴は、従属請求項の特徴が完全にまたは部分的に回避される場合であっても、独立して、単独で創意に富むか、または互いに自由に組み合わせ可能であってもよい。
【００８９】
本特許出願のこれらおよび他の態様は、以下の図の参照により明らかになり、かつ解明されるであろう。本出願および上に提示されるその例示的な実施形態の特徴は、互いとのすべての考えられる組み合わせでも開示されることが理解される。
【図面の簡単な説明】
【００９０】
【図１】本発明によるシステムの一実施形態を含む電気システムの概略図である。
【図２】本発明によるシステムのさらなる実施形態を含む電気システムの概略図である。
【図３】本発明によるシステムのさらなる実施形態の概略図である。
【図４】本発明によるピアツーピアアプリケーションの一実施形態の図である。
【図５】本発明によるシステムのさらなる実施形態の概略図である。
【図６】本発明による方法の一実施形態の図である。
【発明を実施するための形態】
【００９１】
異なる図の類似の参照番号は、類似の要素を示す。
【００９２】
図１は、本出願によるシステム１０２の一実施形態を含む電気システム１００の概略図を示す。システム１００は、本出願による電気プロデューサー配置１０１の一実施形態を備える。
【００９３】
図から見ることができるように、電気プロデューサー配置１０１は、制御不可能なプロデューサー１０６を制御可能なプロデューサー１０４に（固定的に）割り当てることによって形成されている。本例では、制御不可能なプロデューサー１０６は、１つ以上の光発電素子を備える光発電デバイス１０６である。制御可能なプロデューサー１０４は目下のところ、１つ以上の制御可能なガスタービンを備えるガス発電所１０４として形成されている。それによって、生産される第１のエネルギー量を制御するために、ソース媒体（燃焼されるガスの量）を制御することができる。
【００９４】
プロデューサー１０４、１０６の両方が、電気ネットワーク１０８、特に、送電線１０８に電気的に接続されている。電気プロデューサー配置１０１は、総エネルギー量（例えば、第１のエネルギー量と第２のエネルギー量との合計）を電気ネットワーク１０８に供給し得る。
【００９５】
さらに、図示のシステム１０２は、制御手段１１２と第１の予測手段１１０とを備える。第１の予測手段１１０は、少なくとも１つの未来の期間中に制御不可能なプロデューサー１０６によって生産される第２のエネルギー量を予測するように構成されている。例えば、第１の予測手段１１０は、例えば、次の週、日、時間、および／または同様のものに関する前記第２のエネルギー量を予測するために、制御不可能なプロデューサー１０６の天候予測データ、過去の生産データ、および／または制御不可能なプロデューサー１０６の少なくとも１つのさらなる性能パラメータ（例えば、最大生産可能電力）を評価し得る。
【００９６】
予測された第２のエネルギー量を制御手段１１２に提供することができる。制御手段１１２は、予測された第２のエネルギー量に依存して、未来の期間中に生産される第１のエネルギー量を制御するように構成されている。特に、制御手段１１２は、未来の期間中に事前定義された総エネルギー量が電気プロデューサー配置１０１から電気ネットワークに供給されるように、第１のエネルギー量を判定、例えば、算出し得る。
【００９７】
例えば、簡単な事例によれば、制御手段１１２は、（予測された第２のエネルギー量がネットワークに完全に供給されている場合）事前定義された総エネルギー量と予測された第２のエネルギー量との間の差分を算出し得る。次いで、算出された差分は、制御可能なプロデューサー１０４によって生産される、および特に、ネットワーク１０８に対して制御可能なプロデューサー１０４によって供給される第１のエネルギー量を表す。すべてのエネルギー量値は時間変数値であり得ることを理解されたい。
【００９８】
次いで、制御手段１１２は、前記未来の期間中に制御可能なプロデューサー１０４が判定された差分のエネルギー量をネットワークに供給するように、制御可能なプロデューサー１０４、例えば、１つ以上のガスタービンを制御し得る。例えば、１つ以上の設定された電力値を含む制御命令を制御可能なプロデューサー１０４、例えば、１つ以上のガスタービンの制御モジュールに伝達することができる。
【００９９】
好ましくは、以下に記載されるように、制御手段１１２および／または第１の予測手段１１０を実現するために、ピアツーピアアプリケーションを備えるピアツーピアネットワークを使用することができる。代替的にまたは追加的に、別個のハードウェアデバイスを使用することができる。第１の予測手段を制御不可能なプロデューサー内に実装すること、および／または制御手段を制御可能なプロデューサー内に実装することも可能である。
【０１００】
図２は、本出願によるシステム２０２の一実施形態を含む電気システム２００のさらなる実施形態を示す。システム２０２は、電気プロデューサー配置２０１と例示されるピアツーピアネットワーク２２２とを備える。
【０１０１】
示される電気プロデューサー配置２０１は、制御可能なプロデューサー２０４（例えば、ガス発電所２０４）と２つの制御不可能なプロデューサー２０６．１、２０６．２（例えば、光発電デバイス２０６．１、２０６．２）とを備える。さらに、１つ以上の電気負荷を備える第１のコンシューマー機器２１６．１、および１つ以上の電気負荷を備えるさらなるコンシューマー機器２１６．２が設けられている。
【０１０２】
本例では、第１の制御不可能なプロデューサー２０６．１および第１のコンシューマー機器２１６．１は、建物２１４．１などの（同じ）エンティティ２１４．１内に配置されている。例えば、制御不可能なプロデューサー２０６．１を建物２１４．１の屋根の上に配置することができ、第１のコンシューマー機器２１６．１の負荷をエンティティ２１４．１内、例えば、建物２１４．１内および／または関連する地所２１４．１に配置することができる。同様の方式で、さらなるエンティティ２１４．２（例えば、同様に建物２１４．２）は、さらなる制御不可能なプロデューサー２０６．２と、さらなるコンシューマー機器２１６．２とを備える。
【０１０３】
電気プロデューサー配置２０１を形成するために、エンティティ２１４．１、２１４．２（およびそれぞれの制御不可能なコンシューマー２０６．１、２０６．２ならびにコンシューマー機器２１６．１、２１６．２はそれぞれ）は、制御可能なプロデューサー２０４に割り当てられている。好ましくは、割り当てをピアツーピアネットワーク２２２およびピアツーピアアプリケーション２２４によってそれぞれ管理および制御する。
【０１０４】
図２から見ることができるように、本発明の示される好ましい実施形態によれば、中央インスタンスおよび／または第三者組織は設けられていない。本事例では、システム２００は、ピアツーピアネットワーク２２２またはコンピュータ−コンピュータネットワーク２２２を備える。ピアツーピアネットワーク２２２は、複数のノード２２６．１、２２６．２（明確さのために２つのみを示す）とコンピュータ２２６．１、２２６．２とをそれぞれ備える。本事例において、ピアツーピアネットワーク２２２は、各ノード２２６．１、２２６．２および／または参加者２１８、２２０．１、２２０．２が好ましくは少なくともあらゆる他のノード２２６．１、２２６．２および／または参加者２１８、２２０．１、２２０．２に接続可能であることを特徴とする。例えば、接続用に少なくとも１つの物理的に標準なネットワーク（有線および／または無線）を使用することができる。少なくとも１つの物理的に標準なネットワークを介して通信するために、好適なトランシーバモジュールをそれぞれのエンティティ／デバイス内に配置することができる。
【０１０５】
加えて、コンピュータ２２６．１、２２６．２は、同等の権利を有し、それによってサーバ−クライアント構造と差別化されている。
【０１０６】
図示のノード２２６．１、２２６．２（の各々）は、ピアツーピアアプリケーション２２４を備える。図２から見ることができるように、同じピアツーピアアプリケーション２２４が、好ましくは、各ノード２２６．１、２２６．２に実装される。これは、特に、同じ内容が各ノード２２６．１、２２６．２に含まれ、同じコード（異なる手段２１０、２１２、２２８を含む）が各ノード２２６．１、２２６．２で実行され得ることを意味する。
【０１０７】
ピアツーピアアプリケーション２２４は、好ましくは、特に、ピアツーピアネットワーク２２２の（ノード２２６．１、２２６．２だけでなく）すべての参加者２２６．１、２２６．２、２１８、２２０．１、２２０．２によって検査され得る公共レジスタ２２４であり得る。ノード２２６．１、２２６．２の各々は、好ましくは、（全体の）公共レジスタ２２２を有する。レジスタの一部のみがノード（ライトノード）に提供され得ることも想定され得る。特定の好ましい実施形態では、ピアツーピアアプリケーション２２４は、以下でより詳細に説明されるブロックチェーン２２４であり得る。ピアツーピアネットワークがさらなるノードを備え得ることを理解されたい。加えて、観察デバイスおよび／またはアクセスエンティティもピアツーピアネットワークのノードとして形成され得ることを理解されたい。
【０１０８】
ピアツーピアアプリケーション２２４は、少なくとも１つの制御可能なプロデューサー２０４と１つ以上の制御不可能なプロデューサー２０６．１、２０６．２とを備える仮想の電気プロデューサー配置２０１を形成するように構成されている。以下に記載されるように、ピアツーピアアプリケーション２２４は、制御手段２１２を通じて制御可能なプロデューサー２０４の電力供給を制御することによって、電気プロデューサー配置２０１から電気ネットワーク２０８（例えば、送電線２０８）への電力供給を管理および制御するように構成され得る。
【０１０９】
さらに、制御可能なプロデューサー２０４に割り当てられた第１のピアツーピアモジュール２１８と、第１のエンティティ２１４．１および第２のエンティティ２１４．２にそれぞれ割り当てられた２つのさらなるピアツーピアモジュール２２０．１、２２０．２とが設けられている。より具体的には、さらなるピアツーピアモジュール２２０．１は、制御不可能なプロデューサー２０６．１およびコンシューマー機器２１６．１に割り当てられ、他のさらなるピアツーピアモジュール２２０．２は、制御不可能なプロデューサー２０６．２およびコンシューマー機器２１６．２に割り当てられている。本例では、第１のピアツーピアモジュール２１８は、制御可能なプロデューサー２０４に組み込まれ、第１のさらなるピアツーピアモジュール２２０．１は、第１のエンティティ２１４．１に組み込まれ、第２のさらなるピアツーピアモジュール２２０．２は、第２のエンティティ２１４．２に組み込まれている。
【０１１０】
ピアツーピアモジュール２１８、２２０．１、２２０．２は（概して）、少なくともピアツーピアネットワーク２２２、すなわち、ピアツーピアネットワーク２２２のノード２２６．１、２２６．２と通信するように構成されている。換言すれば、第１のピアツーピアモジュール２１８、またはそれぞれのピアツーピアモジュール２１８に対応するかもしくは割り当てられた制御可能なプロデューサー２０４は、ピアツーピアネットワーク２２２の少なくとも参加者である。同じことが２つのさらなるピアツーピアモジュール２２０．１、２２０．２に適用される。好ましくは、ピアツーピアネットワーク２２２のすべの参加者２２６．１、２２６．２、２１８、２２０．１、２２０．２（すべてのノードを含む）は、ピアツーピアネットワーク２２２の各参加者２２６．１、２２６．２、２１８、２２０．１、２２０．２に対して既知である。
【０１１１】
本事例では、すべてのピアツーピアモジュール２１８、２２０．１、２２０．２は、ピアツーピアネットワーク２２２のノードではなく、単に参加者２１８、２２０．１、２２０．２である。ピアツーピアネットワーク２２２の２２６．１、２２６．２またはコンピュータ２２６．１、２２６．２はピアツーピアアプリケーション２２４自体の少なくとも一部を備えるが、ピアツーピアネットワーク２２２の参加者は、本ピアツーピアモジュール２１８、２２０．１、２２０．２と同様に、ピアツーピアアプリケーション２２４を備えていない。かかるピアツーピアモジュール２１８、２２０．１、２２０．２は、ピアツーピアアプリケーション２２４への、例えば、ＡＰＩ（アプリケーションプログラミングインターフェース）を介したアクセス（のみ）を提供するように構成されている。各ピアツーピアモジュール２１８、２２０．１、２２０．２（同様にノードまたはライトノード）は、分散型アプリケーションおよび少なくともＡＰＩを備え得る。
【０１１２】
本事例では、ピアツーピアモジュールは、ピアツーピアネットワークのノードとして形成されており、ピアツーピアモジュールは（も）、少なくとも部分的にピアツーピアアプリケーション２２４を備える。ピアツーピアモジュール２１８、２２０．１、２２０．２がピアツーピアネットワークのノードであり得ることを理解されたい。ピアツーピアモジュール２１８、２２０．１、２２０．２がピアツーピアネットワークのノードを作動中の「ゲートウェイ」に対するアクセスを有し得るか、またはそれに接続され得ることを理解されたい。
【０１１３】
さらなるピアツーピアモジュール２２０．１、２２０．２は、１つ以上のデータセットをピアツーピアアプリケーションに伝達するように構成され得る。データセットは、第２のエネルギー量を予測するための第１の予測手段２１０および／または第３のエネルギー量を予測するための第２の予測手段２２８によって必要とされることがある。第１の予測モジュール２１０および第２の予測モジュール２２８を、未来の期間中にエンティティ２１４．１、２１４．２から供給される総エネルギー量を予測するように構成された１つの予測手段によって形成することができることに留意されたい。
【０１１４】
例えば、それぞれのノード２２６．１、２２６．２で実行された第１の予測手段２１０は、特定の未来の期間中に第１の制御不可能なプロデューサー２０６．１によって生産可能な第２のエネルギー量を予測し得る。それぞれのノード２２６．１、２２６．２で実行された第２の予測手段２２８は、前記特定の未来の期間中に第１のコンシューマー機器２１６．１（エンティティ２１４．１の自己消費）によって消費される第３のエネルギー量を予測し得る。予測された第２のエネルギー量および第３のエネルギー量に基づいて、送配電網２０８に供給される第４のエネルギー量を、例えば、制御手段２１２、または予測手段２１０、２２８のうちの１つによって判定することができる。
【０１１５】
同じ方式で、さらなるエンティティ２１４．２の第２のエネルギー量、第３のエネルギー量、および第４のエネルギー量を判定することができる。次いで、制御手段２１２は、所望のおよび／または事前定義された総エネルギー量と、それぞれの第４のエネルギー量の合計との間の差分を判定し得る。差分は、ネットワーク２０８に対して制御可能なプロデューサー２０４によって生産（および供給）される第１のエネルギー量を表す。
【０１１６】
判定された差分に従って、制御手段２１２は、電気ネットワーク２０８に対して電気プロデューサー配置２０１によって供給される総エネルギー量が事前定義された総エネルギー量に対応するように、制御可能なプロデューサー２０４に対する制御命令データセットのプロビジョンを少なくとも開始し得る。例えば、制御手段２１２による開始時に、１つ以上のメッセージをピアツーピアアプリケーションによって第１のピアツーピアモジュールに送信することができる。代替的にまたは追加的に、制御可能なプロデューサー２０４の識別子に関連付けられたそれぞれの制御命令データセットを制御可能なプロデューサー２０４によって読み取ることができる。好ましくは、ピアツーピアネットワーク２２２のノード２２６．１、２２６．２の少なくとも一部（＞２）は、データの実行および／またはプロビジョンを少なくとも監視し得る。それによって、改ざんリスクを著しく低減することができる。
【０１１７】
図３は、本出願によるシステム３０２のさらなる実施形態の概略図を示す。明確さのために、それぞれ送配電網および送電線などの一部の詳細、制御手段、ならびに予測手段は示されていない。
【０１１８】
システム３０２は、複数の電気プロデューサー配置３０１．１、３０１．２、３０１．３を備える。特に、第１の電気プロデューサー配置３０１．１、第２の電気プロデューサー配置３０１．２、および第３の電気プロデューサー配置３０１．３が設けられている。第１の電気プロデューサー配置３０１．１は、第１の制御可能なプロデューサー３０４．１に割り当てられた第１の制御不可能なプロデューサー３０６．１を備える。例えば、上で説明されるように、プロデューサー３０４．１、３０６．１の各々は、ピアツーピアアプリケーション３２４およびピアツーピアネットワーク３２２とそれぞれ通信するように構成されたピアツーピアモジュール（明確さのために図示せず）を備え得る。
【０１１９】
図示の第２の電気プロデューサー配置３０１．２は、第２の制御可能なプロデューサー３０４．２、第１の第２の制御不可能なプロデューサー３０６．２および第２のコンシューマー機器３１６．２を有する第２のエンティティ３１４．２、ならびにさらなる第２の制御不可能なプロデューサー３０６．２’を備える。エンティティ３１４．２およびプロデューサー３０６．２’は、前記第２の制御可能なプロデューサー３０４．２に割り当てられている。例えば、上に説明されるように、プロデューサー３０４．２、３０６．２、３０６．２’およびコンシューマー機器３１６．２の各々は、ピアツーピアアプリケーション３２４およびピアツーピアネットワーク３２２とそれぞれ通信するように構成された少なくとも１つの割り当てられたピアツーピアモジュール（明確さのために図示せず）を備え得る。
【０１２０】
最終的に、第３の電気プロデューサー配置３０１．３は、２つの第３の制御可能なプロデューサー３０４．３、３０４．３’と、前記２つの第３の制御可能なプロデューサー３０４．３、３０４．３’に割り当てられた３つの第３の制御不可能なプロデューサー３０６．３、３０６．３’、３０６．３”とを備える。例えば、上に説明されるように、プロデューサー３０４．３、３０４．３’、３０６．３、３０６．３’、３０６．３”の各々は、ピアツーピアアプリケーション３２４およびピアツーピアネットワーク３２２とそれぞれ通信するように構成されたピアツーピアモジュール（明確さのために図示せず）を備え得る。
【０１２１】
ピアツーピアアプリケーション３２４は、１つ以上の制御不可能なプロデューサーの１つ以上の制御可能なプロデューサーへの割り当てを管理および制御することによって、電気プロデューサー配置３０１．１、３０１．２、３０１．３の形成を管理するように構成され得る。例えば、以下でより詳細に説明されるように、ピアツーピアアプリケーションは、１つ以上の制御不可能なプロデューサーの１つ以上の制御可能なプロデューサーへの割り当てに関する割り当て取引契約を生成することによって、電気プロデューサー配置３０１．１、３０１．２、３０１．３を形成するように構成され得る。
【０１２２】
各電気プロデューサー配置３０１．１、３０１．２、３０１．３は、一意の電気プロデューサー配置の識別子を備え得る。電気プロデューサー配置の識別子は、前記電気プロデューサー配置を含むすべてのプロデューサー、コンシューマー機器、および／またはエンティティの一意の識別子と一緒に記憶され得る。位置データ（例えば、制御可能なコンシューマーの位置データ）のような電気プロデューサー配置のさらなる詳細、技術的詳細（例えば、最大電力値）などを割り当て取引契約に記憶することができる。
【０１２３】
割り当て取引契約のデータおよび他のデータを、ピアツーピアアプリケーション３２４および／またはピアツーピアアプリケーション３２４によって制御される記憶配置３３２に記憶することができる。好ましくは、複数の分散型記憶ユニット３３４を備える記憶配置３３２を、ピアツーピアアプリケーション３２４によって制御される分散型ファイルシステム（ＩＰＦＳなど）または分散型オブジェクト記憶（ストージなど）または非中央集中的な分散型データベース（ＢｉｇｃｈａｉｎＤＢなど）として形成することができる。例えば、すべての登録されたエンティティに関する詳細を記憶配置３３２に記憶することができる。
【０１２４】
図４は、本出願によるピアツーピアアプリケーション４２４の一実施形態の概略図を示す。
【０１２５】
示されるピアツーピアアプリケーション４２４は、特に、ピアツーピアネットワークの参加者によって読み取り可能なレジスタである。そのため、例えば、メッセージの形態のデータセットを、制御可能なプロデューサーもしくは制御不可能なプロデューサーに割り当てられたピアツーピアモジュール、および／またはピアツーピアネットワーク内の任意の他の参加者によって、レジスタ４２４に／から書き込むことができ、かつ／または読み取ることができる。好ましい実施形態では、ピアツーピアアプリケーション４２４は、ブロックチェーン４２４であり得る。
【０１２６】
以下では、本実施形態の以下の説明において、少なくとも１つのピアツーピアアプリケーション４２４はブロックチェーン４２４であると想定する。しかしながら、以下の見解を、有向非巡回グラフ（ＤＡＧ）などの他のピアツーピアアプリケーションに容易に転換することができる。ＩＯＴＡまたはタングルなどの有向非巡回グラフは、ブロック（またはグラフのノード）が互いに有向エッジを介して連結されていることを意味する。そのため、向きとは、（すべての）エッジが（常に）時間と同様に同じ方向を有することを意味する。換言すれば、後退することは可能ではない。最終的に、非巡回とは、ループが存在しないことを意味する。
【０１２７】
ピアツーピアアプリケーションのさらなる実施形態では、ブロックチェーンは、非許可型ブロックチェーンまたは許可型ブロックチェーンであり得る。具体的な事例では、ブロックチェーンは、パブリックブロックチェーン、コンソーシアムブロックチェーン、またはプライベートブロックチェーンであり得る。
【０１２８】
さらなる実施形態では、ピアツーピアアプリケーションを、サイドチェーンまたはスマートコントラクトなどの機構を介して接続された複数のブロックチェーンを用いて形成することができる。ブロックチェーン間の相互運用性を確立することができる。
【０１２９】
ブロックチェーン４２４は、少なくとも１つのブロック４５１、４５３、４５５によって、好ましくは、複数の相互接続ブロック４５１、４５３、４５５によって形成されている。第１のブロック４５１は、ジェネシスブロック４５１とも称されることがある。見ることができるように、（第１のブロック４５１を除く）ブロック４５３、４５５は、各先行するブロック４５１、４５３を参照する。新しいブロックは、計算集約的な処理によって（例えば、いわゆる、「マイニング」または投票などの別の適切な処理を通じて）作成され得、特にピアツーピアネットワークのすべての参加者に提供されるであろう。
【０１３０】
本ブロックチェーン４２４は、特に、先に記載される制御可能なプロデューサーもしくは制御不可能なプロデューサーのピアツーピアモジュール、（チェーン外の）コンピューティングエンティティ、またはピアツーピアネットワークの別の参加者の別のピアツーピアデバイス／ユニットから、予測データセットおよび／もしくは制御命令データセットを含むメッセージ、登録データ、認可結果などのようなメッセージを受信するように適合されている。さらに、ブロックチェーン４２４は、特に、これらのメッセージをブロックチェーン４２４に保存するように適合されている。さらに、ブロックチェーン４２４は、制御処理／活動、予測処理に基づく、ならびに／またはピアツーピアモジュールおよび／もしくは例えば、制御手段４１２、第１の予測手段４１０、第２の予測手段４２８などのコードの実行によって引き起こされるメッセージを生成するように構成されている。特に、ブロックチェーン４２４は、図１、図２、または図３に示されるような電気プロデューサー配置を制御および管理するように少なくとも構成されている。
【０１３１】
特に、（新たに）受信されたメッセージを、ブロックチェーン４２４の現在のブロック４５５に保存および発行することができる。公共レジスタ４２４としてのブロックチェーン４２４の構成ゆえに、例えば、ピアツーピアモジュールの前記データメッセージを、好ましくは、ピアツーピアネットワークのすべての参加者によって読み取ることができる。代替的にまたは追加的に、メッセージのデータを、ブロックチェーン４２４によって制御される非中央集中的なファイルサービスまたは分散型ブロックチェーンデータベースに記憶することができる。
【０１３２】
既に記載されているように、本ブロックチェーン４２４において、例えば、スマートコントラクト（ブロックチェーン４２４におけるアルゴリズムおよび／または記憶）内の異なるタイプのメッセージおよびデータセットをそれぞれ処理および／または記憶することができる。本例では、ブロックチェーン４２４は、スマートコントラクト４１２の形態の制御手段４１２を備える。先に記載されるように、制御手段４１２は、電気プロデューサー配置の少なくとも１つの制御可能なプロデューサーからの電力の出力を制御することを含む少なくとも１つの制御処理を少なくとも制御するように構成され得る。
【０１３３】
さらに、ブロックチェーン４２４に１つ以上の割り当て取引契約４４０を記憶することができる。割り当て取引契約４４０は、少なくとも１つの制御可能なプロデューサーと１つ以上の制御不可能なプロデューサーとの間に、前記１つ以上の制御不可能なプロデューサーを前記少なくとも１つの制御可能なプロデューサーに（固定的に）割り当てるために生成され得る。かかる割り当て取引契約４４０の生成例を以下に記載する。
【０１３４】
割り当て取引契約４４０は、以下のデータのうちの少なくとも１つを含み得る。
【０１３５】
識別子：
関与するエンティティ／プロデューサーの１つ以上の識別子、例えば、制御可能なプロデューサーの識別子、制御不可能なプロデューサーの識別子、コンシューマー機器の識別子、制御不可能なプロデューサーおよび／またはコンシューマー機器を含むエンティティの識別子、電気プロデューサー配置の識別子など。
【０１３６】
割り当て取引基準：
制御不可能なプロデューサーの制御可能なプロデューサーへの割り当てを可能にするために満たされなければならない基準。
【０１３７】
動作の詳細：
制御および／または予測処理（例えば、制御および／または予測アルゴリズム、登録規則、性能パラメータに関する詳細。
【０１３８】
割り当て取引基準は、制御可能なプロデューサーと制御不可能なプロデューサーとの間の事前定義された最大許容距離であり得る。例えば、制御可能なプロデューサーおよび制御不可能なプロデューサーのそれぞれの位置データ（例えば、ＧＰＳデータ）に基づいて、事前定義された距離の形態の割り当て取引基準が満たされているか否かをチェックすることができる。
【０１３９】
別の割り当て取引基準は、例えば、未来の期間（例えば、ｘ年）にわたる割り当てに関する暗号通貨の量、またはエンティティによって消費もしくは生産されるエネルギー量の年次余剰であり得る。その量がそれぞれの処理（割り当て処理、制御処理、収支報告処理などを含む）の前、最中、および／または後に転換されなければならないということが可能な場合がある。
【０１４０】
好ましくは、ピアツーピアアプリケーションは、例えば、関与する各エンティティ（少なくとも制御不可能なプロデューサーを備える）に関する年次記憶４４８を提供し得る。制御不可能なプロデューサーおよび／またはコンシューマー機器を備えるエンティティによって実際に消費および／または生産されたエネルギー量の測定値に基づいて、生産および／または消費変動を年次記憶に記憶することができる。例えば、定期的に（例えば、年に一度）年次記憶４４８を、消費または生産されたエネルギー量に依存して、暗号通貨の量をエンティティのアカウントから制御可能なプロデューサーのアカウントに（逆もまた同様）伝達することによって収支報告することができる。記憶４４８の期間（年次）を自由裁量によって選ぶことができることを理解されたい。特に、「年次」という表現は、３６５日作動することを必要としない。
【０１４１】
好ましくは、暗号通貨の前記量の少なくとも一部は、割り当て活動の前にピアツーピアアプリケーション４２４によってロックされ得る。一実施形態では、割り当て取引基準は、各時間および／またはデータユニットごとに少量の暗号トークンをストリーミングするための支払いチャネルであり得る。他の取引基準およびさらなる情報を割り当て取引契約に含めることができることを理解されたい。より多くの情報／基準は、例えば、タイムスタンプ、取引のＩＤ、および同様のものであり得る。
【０１４２】
割り当て取引契約４４０を生成するために、制御不可能なプロデューサーのピアツーピアモジュール、例えば、前記制御不可能なプロデューサーを備えるエンティティのピアツーピアモジュール、および制御可能なプロデューサーのピアツーピアモジュールは、ピアツーピアアプリケーション４２４を介して要求および応答（受諾）メッセージを交換し得る。要求メッセージ４４２は、上記データに関する表示（識別、取引基準）を含み得る。
【０１４３】
例えば、前記制御不可能なプロデューサーを備えるエンティティのピアツーピアモジュールは、ピアツーピアモジュールによって、要求メッセージ４４２を、エンティティ、制御不可能なプロデューサー、および／もしくはコンシューマー機器に割り当てられた識別子、エンティティの位置データ（例えば、地理座標）、制御不可能なプロデューサーおよび／もしくはコンシューマー機器の性能パラメータ、制御および／もしくは予測アルゴリズム、ならびに／またはさらなる割り当て取引基準などのデータを含むピアツーピアアプリケーション４２４に送信し得る。
【０１４４】
別のメッセージ４４４は、例えば、制御可能なプロデューサーの受諾メッセージ４４４であり得る。受諾メッセージ４４４は、（提案）メッセージ４４４と比較したときに、同一または少なくとも同様のデータ詳細を含み得る。追加的に、受諾メッセージ４４４は、メッセージ４４４のＩＤなど、前のメッセージに対する参照表示を含み得る。受諾メッセージ４４４は、制御可能なプロデューサーの第１のピアツーピアモジュールによって、または（例えば、事前設定された規則による）ピアツーピアアプリケーションによって提供され得る。ピアツーピアネットワークのノードの一部は、事前定義された距離などの事前定義された割り当て取引契約が満たされているか否かを、ピアツーピアアプリケーションを実行することによって前もってチェックし得る。
【０１４５】
例えば、受諾メッセージ４４４がより高いもしくは他のさらなる取引基準、および／または他の所望の制御／予測アルゴリズムを含む場合、受諾メッセージ４４４は、逆提案メッセージと称されることがある。これは、受諾メッセージを通じてエンティティのピアツーピアモジュールによって受諾され得る。これに基づいて、エンティティおよび／または制御可能なプロデューサーのピアツーピアモジュールは、割り当て取引契約４４０の生成を引き起こし得る。例えば、割り当て取引契約４４０を、グループ化されたエンティティ（制御不可能なプロデューサーおよび／またはコンシューマー機器を備える）ならびに制御可能なプロデューサーのあらゆる制御および／または予測処理のために使用することができる。
【０１４６】
特に、複数の要求メッセージおよび／または受諾メッセージが存在し得る。各エンティティおよび制御可能なプロデューサーは、ガイドラインを与えることができ、それに従って、少なくとも１つの割り当て取引契約４４０または他の契約を生成することができる。反復などの好ましい自動化された処理では、各要求／提案メッセージを最適に対応する受諾メッセージに関連付けることができる。ブロックチェーン４２４は、ピアツーピアモジュールのメッセージに基づいて、割り当て取引契約４４０を生成するように構成され得る。
【０１４７】
さらに、制御手段４１２は、割り当て取引契約４４０に基づいて、（割り当て取引契約４４０で定義された）少なくとも１つの制御可能なプロデューサーを制御するように構成され得る。制御手段４１２は、制御活動を実施するためにピアツーピアネットワークのノードの少なくとも一部によって実行され得る。例えば、提供された第２のエネルギー量および／または第３のエネルギー量ならびに例えば、性能パラメータに基づいて、ピアツーピアアプリケーション４２４、特に、制御手段４１２は、少なくとも１つの制御可能なプロデューサーによる第１のエネルギー量の生産を制御し得る。同様の方式で、第１の予測手段４１０および／または第２の予測手段４２８を実行および制御することができる。
【０１４８】
さらに、ブロックチェーン４２４は、（新しい）エンティティ、制御不可能なプロデューサー、コンシューマー機器、制御可能なプロデューサー、ユーザなどをスマートアセットとしてブロックチェーン４２４に登録するように構成された登録手段４４６を備え得る。
【０１４９】
図５は、本出願のシステム５０２の別の実施形態の概略図を示す。本実施形態では、ピアツーピアネットワーク５２２のノードおよび参加者５０４．１、５０４．２、５０６．１、５０６．２、５２６．１、５２６．２のみを示す。本例では、すべてのノードおよび参加者５０４．１、５０４．２、５０６．１、５０６．２、５２６．１、５２６．２がピアツーピアアプリケーション（図示せず）を備えると想定する。
【０１５０】
ノード５０４．１、５０４．２は、制御可能なプロデューサーに対応し得、例えば、制御可能なプロデューサーのそれぞれのピアツーピアモジュールによって形成され得る。ノード５０６．１、５０６．２は、制御不可能なプロデューサーに対応し得、例えば、制御不可能なプロデューサーのそれぞれのピアツーピアモジュールによって形成され得る。ノード５２６．１および５２６．２は、他のノードであり得る。ノードはフルノード、遠隔ノード、またはライトノードであり得ることを理解されたい。
【０１５１】
見ることができるように、２つの異なるタイプのピアまたはノードコンピュータ５０４．１、５０４．２、５０６．１、５０６．２、５２６．１、５２６．２がここで例示されている。５０４．１、５０４．２、５０６．１、５０６．２、５２６．１、５２６．２はすべて、ピアツーピアネットワーク５２２に含まれている。しかしながら、本実施形態では、本事例のピア５０４．１、５０４．２、５０６．１、５０６．２、５２６．１、５２６．２の一部であるピア（ノード）５０４．１、５０６．１、５２６．１のみが、例えば、ピアツーピアアプリケーションに記憶された制御および／もしくは予測ならびに／またはさらなるデータ、例えば、契約、制御命令データセット、および同様のものなどの有効性をチェックする。
【０１５２】
さらに、ピア全体の一部のみを、ピアツーピアアプリケーションを記憶するように構成することができ、かつ／またはピアの一部のみを、スマート／プライベートコントラクトのアルゴリズムを実行するように構成することができる。例えば、識別データの承認／検証はかなりの計算量を必要とするため、ピア５０４．１、５０６．１、５２６．１、とりわけ特に高性能なピア５０４．１、５０６．１、５２６．１のみが承認および／または制御および／または予測アルゴリズムを遂行する場合、効率の理由から有利であることがある。
【０１５３】
上に記載されるように、承認、解析、および最適化をチェーン内またはチェーン外で行うことができる。チェーン外の承認および／または最適化を、ブロックチェーンのコードのようにピアツーピアアプリケーションによって管理することができる。高性能とは、特に、高いコンピューティング性能を意味する。換言すれば、本事例では、ブロックチェーンなどのピアツーピアアプリケーションにおける有効なエントリーは、ピア５０４．１、５０６．１、５２６．１の一部（のみ）が肯定的な結果になる場合に想定される。単一の、とりわけ特に高性能なピアのみが承認、解析、および／または最適化処理を遂行し得ることを理解されたい。
【０１５４】
同様に、代替の実施形態（図示せず）では、特に大きなピアツーピアネットワークを２つ以上のクラスタに分割することができる。対応するピアツーピアネットワークでは、例えば、承認は、１つのクラスタのメンバー（例えば、拡張性を改善するためのブロックチェーンのシャーディング）によってのみ行われるであろう。さらなる実施形態では、ピアツーピアアプリケーションを複数のブロックチェーンを使用して形成することができる。これらのブロックチェーンは、サイドチェーンもしくはスマートコントラクトなどのフレームワークを介して、または台帳間で接続されている。
【０１５５】
図６は、本発明による方法の一実施形態を示す。本方法を先に記載されるシステムを動作させるために使用することができる。
【０１５６】
第１のステップ６０１では、電気プロデューサー配置を形成することができる。特に、少なくとも１つの制御不可能なプロデューサーを制御可能なプロデューサーに割り当てることができる。割り当て処理をピアツーピアアプリケーションによって管理および制御することができる。例えば、ピアツーピアアプリケーションは、少なくとも１つの制御不可能なプロデューサーの少なくとも１つの制御可能なプロデューサーへの割り当てに関する割り当て取引契約、ひいては、（仮想の）電気プロデューサー配置の形成に関する割り当て取引契約を生成し得る。先に記載されるように、割り当て取引契約を生成することができる。そのため、電気プロデューサー配置の形成はまた、さらなるエンティティ、制御不可能なプロデューサー、制御可能なプロデューサー、および／またはコンシューマー機器を既存の電気プロデューサーに割り当てることによる電気プロデューサー配置の拡張を含む。例えば、エンティティ、制御不可能なプロデューサー、制御可能なプロデューサー、および／またはコンシューマー機器を電気プロデューサー配置から除去（割り当て解除）することによって、電気プロデューサー配置の低減をステップ６０１で実施することもできることを理解されたい。
【０１５７】
電気プロデューサー配置の生成および形成前に、ピアツーピアネットワークは、例えば、認可されたプロデューサー、エンティティなどの識別子を含む識別子一覧を使用することによって、要求エンティティの識別子をチェックし得る。
【０１５８】
電気プロデューサー配置の形成後に、前記電気プロデューサー配置およびシステムをステップ６０２およびステップ６０３で動作させることができる。ステップ６０２は予測ステップ６０２であり得、ステップ６０３は、予測ステップ６０２の予測結果に基づく制御ステップ６０３であり得る。
【０１５９】
例えば、少なくとも１つの第１の予測手段は、電気プロデューサー配置の少なくとも１つの制御不可能なプロデューサーによって、事前定義可能な未来の期間中に生産される第２のエネルギー量を予測するように構成され得る。上に記載されるように、第１の予測手段は、少なくとも１つの第２のエネルギー量を（正確に）予測するために、過去の生産データ、性能パラメータ、天候予測データ、ユーザ命令などを評価し得る。
【０１６０】
同等の方式で、少なくとも１つの第２の予測手段は、電気プロデューサー配置の少なくとも１つのコンシューマー機器によって、事前定義可能な未来の期間中に消費される第３のエネルギー量を予測し得る。好ましくは、それぞれのエネルギー量を、前記電気プロデューサー配置のすべての制御不可能なプロデューサーおよびすべてのコンシューマー機器に対して予測することができる。個々の予測された第２のエネルギー量および第３のエネルギー量に基づいて、前記事前定義可能な未来の期間中に、制御不可能なプロデューサーおよびコンシューマー機器、特に、１つ以上の対応するエンティティの合計によって供給される（予測された）総エネルギー量を判定することができる。
【０１６１】
次いで、ステップ６０３では、少なくとも１つの予測された第２のエネルギー量、特に、前記予測された総エネルギー量に基づいて、制御手段は、電気ネットワークに対して電気プロデューサー配置によって供給される総エネルギー量が事前定義可能な総エネルギー量に対応するように、少なくとも１つの制御可能なプロデューサーを制御し得る。例えば、予測された総エネルギー量と事前定義可能な総エネルギー量との間の差分を判定することができ、制御可能なプロデューサーが前記判定された差分を生産および供給するように、前記電気プロデューサー配置の制御可能なプロデューサーを制御することができる。好ましくは、少なくとも１つの制御命令データセットを制御手段によって、制御可能なプロデューサーに割り当てられた少なくとも１つの第１のピアツーピアモジュールに提供することができる。
【０１６２】
すべてのステップ６０１、ステップ６０２、およびステップ６０３を互いに並行して少なくとも部分的に遂行することができることを理解されたい。例えば、ステップ６０２およびステップ６０３中に、電気プロデューサー配置を拡張することができる。さらに、制御処理（６０３）中に、例えば、次の未来の期間の予測処理が予測され得ることも可能である。
【図１】
2019531692.tif 000003
【図２】
2019531692.tif 000004
【図３】
2019531692.tif 000005
【図４】
2019531692.tif 000006
【図５】
2019531692.tif 000007
【図６】
2019531692.tif 000008
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
システム（１０２、２０２、３０２、５０２）であって、
−  少なくとも１つの第１のエネルギー量を生産するように構成された少なくとも１つの制御可能なプロデューサー（１０４、２０４、３０４．１、３０４．２、３０４．３、３０４．３’、５０４．１、５０４．２）と、
−  少なくとも１つの第２のエネルギー量を生産するように構成された少なくとも１つの制御不可能なプロデューサー（１０６、２０６．１、２０６．２、３０６．１、３０６．２、３０６．２’、３０６．３、３０６．３’、３０６．３”、５０６．１、５０６．２）と、
を備え、
−  前記制御不可能なプロデューサー（１０６、２０６．１、２０６．２、３０６．１、３０６．２、３０６．２’、３０６．３、３０６．３’、３０６．３”、５０６．１、５０６．２）を前記制御可能なプロデューサー（１０４、２０４、３０４．１、３０４．２、３０４．３、３０４．３’、５０４．１、５０４．２）に割り当てて電気プロデューサー配置（１０１、２０１、３０１．１、３０１．２、３０１．３）を形成し、
−  少なくとも１つの未来の期間中に前記制御不可能なプロデューサー（１０６、２０６．１、２０６．２、３０６．１、３０６．２、３０６．２’、３０６．３、３０６．３’、３０６．３”、５０６．１、５０６．２）によって生産される前記少なくとも１つの第２のエネルギー量を予測するように構成された少なくとも１つの第１の予測手段（１１０、２１０、４１０）と、
−  前記未来の期間中に電気ネットワーク（１０８、２０８）に対して前記電気プロデューサー配置（１０１、２０１、３０１．１、３０１．２、３０１．３）によって供給される総エネルギー量が事前定義可能な総エネルギー量に対応するように、前記少なくとも１つの予測された第２のエネルギー量に基づいて、前記制御可能なプロデューサー（１０４、２０４、３０４．１、３０４．２、３０４．３、３０４．３’、５０４．１、５０４．２）を制御するように構成された少なくとも１つの制御手段（１１２、２１２、４１２）と、
を備えるシステム（１０２、２０２、３０２、５０２）であって、
−  前記少なくとも１つのピアツーピアアプリケーション（２２４、３２４、４２４）が、前記ピアツーピアネットワーク（２２２、３２２、５２２）の少なくとも２つのノード（２２６．１、２２６．２、３２６．１、３２６．２、３２６．３、５０４．１、５０４．２、５０６．１、５０６．２、５２６．１、５２６．２）によって実行可能であり、
−  前記ピアツーピアアプリケーション（２２４、３２４、４２４）が、前記制御手段（１１２、２１２、４１２）および／または第１の予測手段（１１０、２１０、４１０）として活動するデータおよびコンピュータコードを記憶するように構成された分散型レジスタであり、
−  前記ピアツーピアアプリケーション（２２４、３２４、４２４）が、前記制御不可能なプロデューサー（１０６、２０６．１、２０６．２、３０６．１、３０６．２、３０６．２’、３０６．３、３０６．３’、３０６．３”、５０６．１、５０６．２）の前記制御可能なプロデューサー（１０４、２０４、３０４．１、３０４．２、３０４．３、３０４．３’、５０４．１、５０４．２）への割り当てに少なくとも関する割り当て取引契約を生成することによって電気プロデューサー配置（１０１、２０１、３０１．１、３０１．２、３０１．３）を形成するように構成されており、
−  前記割り当て取引契約の前記生成後に、前記ピアツーピアネットワーク（２２２、３２２、５２２）の前記少なくとも２つのノード（２２６．１、２２６．２、３２６．１、３２６．２、３２６．３、５０４．１、５０４．２、５０６．１、５０６．２、５２６．１、５２６．２）が、前記契約を記憶するように構成されている、
ことを特徴とするシステム（１０２、２０２、３０２、５０２）。
【請求項２】
−  前記電気プロデューサー配置（１０１、２０１、３０１．１、３０１．２、３０１．３）が、前記未来の期間中に前記電気配置（１０１、２０１、３０１．１、３０１．２、３０１．３）の少なくとも１つのコンシューマー機器（２１６．１、２１６．２、３１６．２）によって消費される少なくとも１つの第３のエネルギー量を予測するように構成された少なくとも１つの第２の予測手段（２２８、４２８）を備え、
−  前記制御手段（１１２、２１２、４１２）は、前記未来の期間中に前記電気ネットワーク（１０８、２０８）に対して前記電気プロデューサー配置（１０１、２０１、３０１．１、３０１．２、３０１．３）によって供給される総エネルギー量が前記事前定義可能な総エネルギー量に対応するように、前記少なくとも１つの予測された第２のエネルギー量および前記少なくとも１つの予測された第３のエネルギー量に基づいて、前記制御可能なプロデューサー（１０４、２０４、３０４．１、３０４．２、３０４．３、３０４．３’、５０４．１、５０４．２）を制御するように構成されている、
ことを特徴とする、請求項１に記載のシステム（１０２、２０２、３０２、５０２）。
【請求項３】
前記少なくとも１つの制御不可能なプロデューサー（１０６、２０６．１、２０６．２、３０６．１、３０６．２、３０６．２’、３０６．３、３０６．３’、３０６．３”、５０６．１、５０６．２）の前記少なくとも１つの制御可能なプロデューサー（１０４、２０４、３０４．１、３０４．２、３０４．３、３０４．３’、５０４．１、５０４．２）への割り当てが、少なくとも、前記制御不可能なプロデューサー（１０６、２０６．１、２０６．２、３０６．１、３０６．２、３０６．２’、３０６．３、３０６．３’、３０６．３”、５０６．１、５０６．２）と前記制御可能なプロデューサー（１０４、２０４、３０４．１、３０４．２、３０４．３、３０４．３’、５０４．１、５０４．２）との間の距離に依存することを特徴とする、請求項１または２に記載のシステム（１０２、２０２、３０２、５０２）。
【請求項４】
−  前記制御不可能なプロデューサー（１０６、２０６．１、２０６．２、３０６．１、３０６．２、３０６．２’、３０６．３、３０６．３’、３０６．３”、５０６．１、５０６．２）と前記制御可能なプロデューサー（１０４、２０４、３０４．１、３０４．２、３０４．３、３０４．３’、５０４．１、５０４．２）との間の距離が少なくとも１つの事前定義された距離閾値未満である場合のみに、制御不可能なプロデューサー（１０６、２０６．１、２０６．２、３０６．１、３０６．２、３０６．２’、３０６．３、３０６．３’、３０６．３”、５０６．１、５０６．２）が、前記制御可能なプロデューサー（１０４、２０４、３０４．１、３０４．２、３０４．３、３０４．３’、５０４．１、５０４．２）に割り当て可能であり、
−  前記事前定義された距離閾値が、好ましくは、５０ｋｍ、特に好ましくは、１０ｋｍである、
ことを特徴とする、請求項３に記載のシステム（１０２、２０２、３０２、５０２）。
【請求項５】
前記ピアツーピアアプリケーション（２２４、３２４、４２４）が、少なくとも前記第２の予測手段（２２８、４２８）を備えることを特徴とする、請求項１〜４の何れか一項に記載のシステム（１０２、２０２、３０２、５０２）。
【請求項６】
−  前記電気プロデューサー配置（１０１、２０１、３０１．１、３０１．２、３０１．３）が、前記制御可能なプロデューサー（１０４、２０４、３０４．１、３０４．２、３０４．３、３０４．３’、５０４．１、５０４．２）に割り当てられた少なくとも１つの第１のピアツーピアモジュール（２１８）を備え、
−  前記制御手段（１１２、２１２、４１２）が、少なくとも１つの制御命令データセットを前記制御可能なプロデューサー（１０４、２０４、３０４．１、３０４．２、３０４．３、３０４．３’、５０４．１、５０４．２）に割り当てられた前記第１のピアツーピアモジュール（２１８）に提供することによって、前記制御可能なプロデューサー（１０４、２０４、３０４．１、３０４．２、３０４．３、３０４．３’、５０４．１、５０４．２）を制御するように構成されている、
ことを特徴とする、請求項１〜５の何れか一項に記載のシステム（１０２、２０２、３０２、５０２）。
【請求項７】
−  前記電気プロデューサー配置（１０１、２０１、３０１．１、３０１．２、３０１．３）が、前記制御不可能なプロデューサー（１０６、２０６．１、２０６．２、３０６．１、３０６．２、３０６．２’、３０６．３、３０６．３’、３０６．３”、５０６．１、５０６．２）に割り当てられた少なくとも１つのさらなるピアツーピアモジュール（２２０．１、２２０．２）を備え、
−  前記さらなるピアツーピアモジュール（２２０．１、２２０．２）が、少なくとも１つのデータセットを前記ピアツーピアアプリケーション（２２４、３２４、４２４）に提供するように構成されており、
−  前記データセットが、
−  前記予測された第２のエネルギー量、
−  少なくとも１つの局所気象パラメータ、および
−  前記制御不可能なプロデューサー（１０６、２０６．１、２０６．２、３０６．１、３０６．２、３０６．２’、３０６．３、３０６．３’、３０６．３”、５０６．１、５０６．２）の性能に関する少なくとも１つの性能パラメータ、
のうちの少なくとも１つを含む、
ことを特徴とする、請求項１〜６の何れか一項に記載のシステム（１０２、２０２、３０２、５０２）。
【請求項８】
−  前記電気プロデューサー配置（１０１、２０１、３０１．１、３０１．２、３０１．３）が、前記コンシューマー機器（２１６．１、２１６．２、３１６．２）に割り当てられた少なくとも１つのさらなるピアツーピアモジュール（２２０．１、２２０．１）を備え、
−  前記さらなるピアツーピアモジュール（２２０．１、２２０．１）が、少なくとも１つのデータセットを前記ピアツーピアアプリケーション（２２４、３２４、４２４）に提供するように構成されており、
−  前記データセットが、
−  前記予測された第３のエネルギー量、
−  実際の第３のエネルギー量、および
−  前記コンシューマー機器（２１６．１、２１６．２、３１６．２）の性能に関する少なくとも１つの性能パラメータ、
のうちの少なくとも１つを含む、
ことを特徴とする、請求項１〜７の何れか一項に記載のシステム（１０２、２０２、３０２、５０２）。
【請求項９】
前記生成された割り当て取引契約が、
−  前記関与する制御不可能なプロデューサー（１０６、２０６．１、２０６．２、３０６．１、３０６．２、３０６．２’、３０６．３、３０６．３’、３０６．３”、５０６．１、５０６．２）および／または制御可能なプロデューサー（１０４、２０４、３０４．１、３０４．２、３０４．３、３０４．３’、５０４．１、５０４．２）の識別子、
−  前記制御不可能なプロデューサー（１０６、２０６．１、２０６．２、３０６．１、３０６．２、３０６．２’、３０６．３、３０６．３’、３０６．３”、５０６．１、５０６．２）の性能に関する少なくとも１つの性能パラメータ、
−  前記制御可能なプロデューサー（１０４、２０４、３０４．１、３０４．２、３０４．３、３０４．３’、５０４．１、５０４．２）の性能に関する少なくとも１つの性能パラメータ、および
−  少なくとも１つの割り当て取引基準、
のうちの少なくとも１つを含む、ことを特徴とする、請求項１〜８の何れか一項に記載のシステム（１０２、２０２、３０２、５０２）。
【請求項１０】
−  前記ピアツーピアアプリケーション（２２４、３２４、４２４）が、前記制御不可能なプロデューサー（１０６、２０６．１、２０６．２、３０６．１、３０６．２、３０６．２’、３０６．３、３０６．３’、３０６．３”、５０６．１、５０６．２）、前記制御可能なプロデューサー（１０４、２０４、３０４．１、３０４．２、３０４．３、３０４．３’、５０４．１、５０４．２）、および前記コンシューマー機器（２１６．１、２１６．２、３１６．３）を備える前記グループの少なくとも１つの要素に割り当てられたピアツーピアモジュール（２１８、２２０．１、２２０．２）の登録メッセージを受信するように構成された少なくとも１つの登録手段（４４８）を備え、エンティティ（２１４．１、２１４．２、３１４．２）が、前記制御不可能なプロデューサー（１０６、２０６．１、２０６．２、３０６．１、３０６．２、３０６．２’、３０６．３、３０６．３’、３０６．３”、５０６．１、５０６．２）および／または前記コンシューマー機器（２１６．１、２１６．２、３１６．３）を備え、
−  前記登録手段（４４８）が、前記ピアツーピアアプリケーション（２２４、３２４、４２４）および／または前記ピアツーピアアプリケーション（２２４、３２４、４２４）によって制御される記憶配置（３３２）に前記要素の一意の識別子を記憶することによって前記要素を登録するように構成されている、
ことを特徴とする、請求項５〜９の何れか一項に記載のシステム（１０２、２０２、３０２、５０２）。
【請求項１１】
前記少なくとも１つのピアツーピアアプリケーション（２２４、３２４、４２４）が、互いに連結された少なくとも２つのブロック（４５１、４５３、４５５）を備えるブロックチェーンまたは分散型台帳であることを特徴とする、請求項１〜１０の何れか一項に記載のシステム（１０２、２０２、３０２、５０２）。
【請求項１２】
システム（１０２、２０２、３０２、５０２）、特に、請求項１〜１１の何れか一項に記載のシステム（１０２、２０２、３０２、５０２）を動作させるための方法であって、前記システム（１０２、２０２、３０２、５０２）が、少なくとも１つの制御可能なプロデューサー（１０４、２０４、３０４．１、３０４．２、３０４．３、３０４．３’、５０４．１、５０４．２）に割り当てられた少なくとも１つの制御不可能なプロデューサー（１０６、２０６．１、２０６．２、３０６．１、３０６．２、３０６．２’、３０６．３、３０６．３’、３０６．３”、５０６．１、５０６．２）を含む少なくとも１つの前記電気プロデューサー配置（１０１、２０１、３０１．１、３０１．２、３０１．３）を備え、
−  未来の期間中に前記制御不可能なプロデューサー（１０６、２０６．１、２０６．２、３０６．１、３０６．２、３０６．２’、３０６．３、３０６．３’、３０６．３”、５０６．１、５０６．２）によって生産される少なくとも１つの第２のエネルギー量を第１の予測手段（１１０、２１０、４１０）によって予測することと、
−  前記未来の期間中に電気ネットワーク（１０８、２０８）に対して前記電気プロデューサー配置（１０１、２０１、３０１．１、３０１．２、３０１．３）によって供給される総エネルギー量が事前定義可能な総エネルギー量に対応するように、前記少なくとも１つの予測された第２のエネルギー量に基づいて、前記少なくとも１つの制御可能なプロデューサー（１０４、２０４、３０４．１、３０４．２、３０４．３、３０４．３’、５０４．１、５０４．２）を制御手段（１１２、２１２、４１２）によって制御することと、
を含み、
−  前記少なくとも１つのピアツーピアアプリケーション（２２４、３２４、４２４）が、前記ピアツーピアネットワーク（２２２、３２２、５２２）の少なくとも２つのノード（２２６．１、２２６．２、３２６．１、３２６．２、３２６．３、５０４．１、５０４．２、５０６．１、５０６．２、５２６．１、５２６．２）によって実行され、
−  前記ピアツーピアアプリケーション（２２４、３２４、４２４）が、前記制御手段（１１２、２１２、４１２）および／または第１の予測手段（１１０、２１０、４１０）として活動するデータおよびコンピュータコードを記憶するように構成された分散型レジスタであり、
−  前記ピアツーピアアプリケーション（２２４、３２４、４２４）が、前記制御不可能なプロデューサー（１０６、２０６．１、２０６．２、３０６．１、３０６．２、３０６．２’、３０６．３、３０６．３’、３０６．３”、５０６．１、５０６．２）の前記制御可能なプロデューサー（１０４、２０４、３０４．１、３０４．２、３０４．３、３０４．３’、５０４．１、５０４．２）への割り当てに少なくとも関する割り当て取引契約を生成することによって電気プロデューサー配置（１０１、２０１、３０１．１、３０１．２、３０１．３）を形成するように構成されており、
−  前記割り当て取引契約の前記生成後に、前記ピアツーピアネットワーク（２２２、３２２、５２２）の前記少なくとも２つのノード（２２６．１、２２６．２、３２６．１、３２６．２、３２６．３、５０４．１、５０４．２、５０６．１、５０６．２、５２６．１、５２６．２）が、前記契約を記憶するように構成されている、
方法。
【請求項１３】
電気プロデューサー配置（１０１、２０１、３０１．１、３０１．２、３０１．３）であって、
−  少なくとも１つの制御可能なプロデューサー（１０４、２０４、３０４．１、３０４．２、３０４．３、３０４．３’、５０４．１、５０４．２）に割り当てられた少なくとも１つの制御不可能なプロデューサー（１０６、２０６．１、２０６．２、３０６．１、３０６．２、３０６．２’、３０６．３、３０６．３’、３０６．３”、５０６．１、５０６．２）と、
−  少なくとも１つのピアツーピアネットワーク（２２２、３２２、５２２）の少なくとも１つのピアツーピアアプリケーション（２２４、３２４、４２４）と通信するように構成された少なくとも１つの第１のピアツーピアモジュール（２１８）と、
を備え、
−  前記第１のピアツーピアモジュール（２１８）が、前記制御可能なプロデューサー（１０４、２０４、３０４．１、３０４．２、３０４．３、３０４．３’、５０４．１、５０４．２）に割り当てられ、未来の期間中に前記制御不可能なプロデューサー（１０６、２０６．１、２０６．２、３０６．１、３０６．２、３０６．２’、３０６．３、３０６．３’、３０６．３”、５０６．１、５０６．２）によって生産される少なくとも１つの予測された第２のエネルギー量に基づいて、少なくとも１つの制御命令データセットを受信するように構成されており、
−  前記制御可能なプロデューサー（１０４、２０４、３０４．１、３０４．２、３０４．３、３０４．３’、５０４．１、５０４．２）は、前記未来の期間中に電気ネットワーク（１０８、２０８）に対して前記電気プロデューサー配置（１０１、２０１、３０１．１、３０１．２、３０１．３）によって供給される総エネルギー量が事前定義可能な総エネルギー量に対応するように、前記受信された１つの制御命令データセットに基づいて、前記制御手段（１１２、２１２、４１２）によって制御され、
−  前記少なくとも１つのピアツーピアアプリケーション（２２４、３２４、４２４）が、前記ピアツーピアネットワーク（２２２、３２２、５２２）の少なくとも２つのノード（２２６．１、２２６．２、３２６．１、３２６．２、３２６．３、５０４．１、５０４．２、５０６．１、５０６．２、５２６．１、５２６．２）によって実行可能であり、
−  前記ピアツーピアアプリケーション（２２４、３２４、４２４）が、前記制御手段（１１２、２１２、４１２）および／または第１の予測手段（１１０、２１０、４１０）として活動するデータおよびコンピュータコードを記憶するように構成された分散型レジスタであり、
−  前記ピアツーピアアプリケーション（２２４、３２４、４２４）が、前記制御不可能なプロデューサー（１０６、２０６．１、２０６．２、３０６．１、３０６．２、３０６．２’、３０６．３、３０６．３’、３０６．３”、５０６．１、５０６．２）の前記制御可能なプロデューサー（１０４、２０４、３０４．１、３０４．２、３０４．３、３０４．３’、５０４．１、５０４．２）への割り当てに少なくとも関する割り当て取引契約を生成することによって電気プロデューサー配置（１０１、２０１、３０１．１、３０１．２、３０１．３）を形成するように構成されており、
−  前記割り当て取引契約の前記生成後に、前記ピアツーピアネットワーク（２２２、３２２、５２２）の前記少なくとも２つのノード（２２６．１、２２６．２、３２６．１、３２６．２、３２６．３、５０４．１、５０４．２、５０６．１、５０６．２、５２６．１、５２６．２）が、前記契約を記憶するように構成されている、
電気プロデューサー配置（１０１、２０１、３０１．１、３０１．２、３０１．３）。
【請求項１４】
ピアツーピアネットワーク（２２２、３２２、５２２）のピアツーピアアプリケーション（２２４、３２４、４２４）であって、
−  未来の期間中に前記電気ネットワーク（１０８、２０８）に対して電気プロデューサー配置（１０１、２０１、３０１．１、３０１．２、３０１．３）によって供給される総エネルギー量が事前定義可能な総エネルギー量に対応するように、前記未来の期間中に制御不可能なプロデューサーによって生産される少なくとも１つの予測された第２のエネルギー量に基づいて、前記少なくとも１つの制御不可能なプロデューサーに割り当てられた少なくとも１つの制御可能なプロデューサー（１０４、２０４、３０４．１、３０４．２、３０４．３、３０４．３’、５０４．１、５０４．２）を制御するように構成された少なくとも１つの制御手段（１１２、２１２、４１２）を備え、前記電気プロデューサー配置（１０１、２０１、３０１．１、３０１．２、３０１．３）が、前記少なくとも１つの制御可能なプロデューサー（１０４、２０４、３０４．１、３０４．２、３０４．３、３０４．３’、５０４．１、５０４．２）に割り当てられた前記少なくとも１つの制御不可能なプロデューサー（１０６、２０６．１、２０６．２、３０６．１、３０６．２、３０６．２’、３０６．３、３０６．３’、３０６．３”、５０６．１、５０６．２）を備え、
−  前記少なくとも１つのピアツーピアアプリケーション（２２４、３２４、４２４）が、前記ピアツーピアネットワーク（２２２、３２２、５２２）の少なくとも２つのノード（２２６．１、２２６．２、３２６．１、３２６．２、３２６．３、５０４．１、５０４．２、５０６．１、５０６．２、５２６．１、５２６．２）によって実行可能であり、
−  前記ピアツーピアアプリケーション（２２４、３２４、４２４）が、前記制御手段（１１２、２１２、４１２）および／または第１の予測手段（１１０、２１０、４１０）として活動するデータおよびコンピュータコードを記憶するように構成された分散型レジスタであり、
−  前記ピアツーピアアプリケーション（２２４、３２４、４２４）が、前記制御不可能なプロデューサー（１０６、２０６．１、２０６．２、３０６．１、３０６．２、３０６．２’、３０６．３、３０６．３’、３０６．３”、５０６．１、５０６．２）の前記制御可能なプロデューサー（１０４、２０４、３０４．１、３０４．２、３０４．３、３０４．３’、５０４．１、５０４．２）への割り当てに少なくとも関する割り当て取引契約を生成することによって電気プロデューサー配置（１０１、２０１、３０１．１、３０１．２、３０１．３）を形成するように構成されており、
−  前記割り当て取引契約の前記生成後に、前記ピアツーピアネットワーク（２２２、３２２、５２２）の前記少なくとも２つのノード（２２６．１、２２６．２、３２６．１、３２６．２、３２６．３、５０４．１、５０４．２、５０６．１、５０６．２、５２６．１、５２６．２）が、前記契約を記憶するように構成されている、
ピアツーピアアプリケーション（２２４、３２４、４２４）。
【国際調査報告】
2019531692.tif 000009
2019531692.tif 000010
2019531692.tif 000011